(57)【要約】  液体タンク１は、液体を収容するタンク本体１０と、タンク本体１０内に設けられて液体中に含まれる気泡を除去する気泡除去装置４０とを備え、タンク本体１０は、タンク本体１０内を少なくとも二分する仕切１６Ａと、液体を外部に送出するための送出口とを備え、気泡除去装置４０は、タンク本体１０内に、気泡除去後の液体が流出する流出口と、除去した気泡を排出する排出口とを有し、送出口は、仕切１６Ａに対して流出口側に設けられ、仕切１６Ａは、タンク本体１０内を、流出口および送出口が設けられた側と、排出口側とに仕切っている。
2007119328.tif 000002
【特許請求の範囲】
【請求項１】
液体を収容する液体タンクであって、
前記液体を収容するタンク本体と、
前記タンク本体内に設けられて前記液体中に含まれる気泡を除去する気泡除去装置とを備え、
前記タンク本体は、
当該タンク本体内を少なくとも二分する仕切と、
前記液体を外部に送出するための送出口とを備え、
前記気泡除去装置は、前記タンク本体内に、
気泡除去後の前記液体が流出する流出口と、
除去した気泡を排出する排出口とを有し、
前記送出口は、前記仕切に対して前記流出口側に設けられ、
前記仕切は、前記タンク本体内を、前記流出口および前記送出口が設けられた側と、前記排出口側とに仕切っている
ことを特徴とする液体タンク。
【請求項２】
請求項１に記載の液体タンクにおいて、
前記仕切は、前記タンク本体に固定されている
ことを特徴とする液体タンク。
【請求項３】
請求項１に記載の液体タンクにおいて、
前記気泡除去装置を通されない前記液体を前記タンク本体内に戻すサブ戻り口を少なくとも一つ備え、
前記サブ戻り口は、前記仕切に対して前記排出口側に設けられている
ことを特徴とする液体タンク。
【請求項４】
請求項１に記載の液体タンクにおいて、
前記仕切は、前記タンク本体内を上下に仕切っている
ことを特徴とする液体タンク。
【請求項５】
請求項１に記載の液体タンクにおいて、
前記仕切は、前記タンク本体に取り付けたときに、上方に凸形状に形成されている
ことを特徴とする液体タンク。
【請求項６】
請求項１に記載の液体タンクにおいて、
前記排出口は、前記タンク本体内で前記液体中に設けられている
ことを特徴とする液体タンク。
【請求項７】
請求項１に記載の液体タンクにおいて、
前記仕切は、前記気泡除去装置が挿入される開口部を備え、
前記開口部の内周とこれに挿入された前記気泡除去装置の外周との間には、周方向に沿って略均等幅の隙間が形成されている
ことを特徴とする液体タンク。
【請求項８】
請求項７に記載の液体タンクにおいて、
前記仕切は、前記気泡除去装置の周囲と前記送出口とを覆い、かつ、前記気泡除去装置による気泡除去後の前記液体を前記送出口に案内するガイドである
ことを特徴とする液体タンク。
【請求項９】
請求項８に記載の液体タンクにおいて、
前記液体を濾過するフィルタを備え、
前記ガイドは円筒形であり、
前記フィルタ、前記気泡除去装置、前記ガイド、および前記送出口が略直線上に配置されている
ことを特徴とする液体タンク。
【請求項１０】
請求項８に記載の液体タンクにおいて、
前記ガイドは、傾斜した上面を備えた箱形であり、
前記上面と連続した位置にある最上位部分には、エア抜き孔が設けられている
ことを特徴とする液体タンク。
【請求項１１】
請求項１０に記載の液体タンクにおいて、
前記ガイドの前記エア抜き孔は、前記タンク本体の水平方向の略中央に設けられている
ことを特徴とする液体タンク。
【請求項１２】
請求項８ないし請求項１１のいずれかに記載の液体タンクにおいて、
内部の作動油を排出するためのドレンポートを備え、
前記ドレンポートは、前記ガイドの内外にまたがって設けられている
ことを特徴とする液体タンク。
【発明の詳細な説明】
【技術分野】
【０００１】
本発明は、液体タンクに係り、より具体的には、液体中の気泡（空気）を除去する気泡除去装置を備えた液体タンクに関する。
【背景技術】
【０００２】
従来より、建設機械においては、作業機の一部であるシリンダ等を作動油で駆動することが一般的である。従って、建設機械はシリンダ等を駆動する油圧回路を備えており、この油圧回路には作動油タンクや、作動油タンクから作動油を圧送するポンプ等の他、油圧回路内で発生してポンプを破損させるおそれのある作動油中の気泡を除去するために、気泡除去装置を設ける場合がある。そして近年では、建設機械の搭載部品に対して小型化が要請されていることから、作動油タンク内に気泡除去装置が設けられたものが多く存在する。【０００３】
作動油タンク内の気泡除去装置により気泡が除去された作動油は、気泡除去装置の流出口からタンク内の作動油中に流出し、タンクの送出口から送出された後、ポンプによって再び油圧回路に圧送される。一方、気泡除去装置により除去された気泡も、気泡除去装置に設けられた流出口とは別の排出口から、タンク内の作動油中に排出される。従って、作動油タンクの小型化により、気泡除去装置の排出口と作動油タンクの送出口とが近くに配置されるようになると、排出口から排出された気泡を含む作動油も一緒に送出口から送出されてしまうおそれがある。【０００４】
そこで、この問題を防止するために、気泡除去後の作動油の流出口およびタンクの送出口側と、気泡の排出口側とを仕切り、主に流出口からの作動油を送出口に導くためのガイド部を備えた作動油タンクが知られている（例えば、特許文献１）。
また、複数の気泡除去装置を並設しその全体を閉塞板で覆った複合形気泡除去装置を備え、複合形気泡除去装置とタンクの送出口とを戻り管で接続するタンクも知られている（例えば、特許文献２）。【０００５】
さらには、タンク上部の作動油戻り口とタンク下部の送出口とを接続する内部チャンバを備え、この内部チャンバ内に螺旋状のバッフルを設けるとともに、周縁に通気孔が形成された中空軸をバッフルの中心軸部分に設けたタンクも知られている（例えば、特許文献３）。この特許文献３に記載のタンクでは、内部チャンバの螺旋状のバッフル上を作動油が流れることで旋回流が生じ、内部チャンバの中央に寄せられた気泡を含む作動油が、内部チャンバ中央の中空軸を通してタンク外部に排出される。【０００６】
【特許文献１】特開２００４−８４９２３号公報
【特許文献２】特開平８−３１８１０３号公報（図９および図１０）
【特許文献３】米国特許第２，３１６，７２９号明細書
【発明の開示】
【発明が解決しようとする課題】
【０００７】
しかし、特許文献１に記載のタンクにおいては、ガイド部がタンクの送出口を完全に覆うようには設けられていないため、排出口から排出された気泡を一緒に吸い込んでしまうのを十分に防止することができないという問題がある。特に、タンクを小型化しようとした場合には、タンクの送出口と気泡の排出口との距離が近くなるため、このような問題が生じ易い。【０００８】
一方、特許文献２に記載のタンクにおいては、ポンプ吸入管に途中分岐管が設けられており、ポンプでの液体の吸入量とタンクへの戻り量が等しくない場合には、その過不足分が調整されるようになっている。しかしながら、複合形気泡除去装置がタンク内で大きなスペースを占めるため、途中分岐管がタンクの側端部、つまり気泡除去装置の流出口よりも特にポンプに近い位置に設けられており、タンク内の気泡を含む液体がポンプに直接流れ込んで、ポンプが気泡を吸い込んでしまうおそれがある。また、複合形気泡除去装置が、タンク外部からの流入配管およびタンク外部へとのびる流出配管にタンク内で接続固定されているため、タンクの製造時や整備時に気泡除去装置と各配管とを組み立てるまたは外す作業を行わなければならず、組み立て効率が良くないという問題がある。【０００９】
特許文献３に記載のタンクでは、作動油戻り口と、作動油から気泡を除去する機能を有した内部チャンバとが、タンク内で配管を用いて接続されているため、タンク内へ内部チャンバを取り付ける際や、タンク内から取り外す際に、この配管の組み立てまたは取り外し作業が必要となる。また、内部チャンバを形成する側壁の外面には、水平方向にのびる複数のバッフルが形成されているため、内部チャンバの取り付けまたは取り外し時には、このバッフルとタンクとが、互いに干渉してしまう。これらのことから、内部チャンバの取り付けまたは取り外し作業は非常に煩雑であり、タンクの組み立て効率が良くないという問題がある。【００１０】
本発明の主な目的は、気泡を確実に除去できるとともに、組み立て効率に優れた液体タンクを提供することにある。
【課題を解決するための手段】
【００１１】
本発明の液体タンクは、液体を収容する液体タンクであって、前記液体を収容するタンク本体と、前記タンク本体内に設けられて前記液体中に含まれる気泡を除去する気泡除去装置とを備え、前記タンク本体は、当該タンク本体内を少なくとも二分する仕切と、前記液体を外部に送出するための送出口とを備え、前記気泡除去装置は、前記タンク本体内に、気泡除去後の前記液体が流出する流出口と、除去した気泡を排出する排出口とを有し、前記送出口は、前記仕切に対して前記流出口側に設けられ、前記仕切は、前記タンク本体内を、前記流出口および前記送出口が設けられた側と、前記排出口側とに仕切っていることを特徴とする。
ここで、送出口とは、外部への送出に際してタンク本体内の液体が取り込まれる部分をいい、タンク本体内の液体を吸い込んで外部に送出するような構成を含むものである。【００１２】
このような本発明によれば、タンク本体内に設けられた仕切が、当該タンク本体内を少なくとも二分して、気泡除去後の液体が流出する流出口およびタンク外部に液体を送出するための送出口を含む側と、除去した気泡を排出する排出口を含む側とに仕切っている。これによれば、気泡を含んだ液体が送出口側に流れ込むのを防ぐことができるので、送出口には流出口からの気泡除去後の液体が流入することになる。このため、気泡を含んだ液体が、送出口から外部流路に送出されるのを防止できるので、作動油内の気泡を確実に除去することができる。【００１３】
本発明の液体タンクにおいて、前記仕切は、前記タンク本体に固定されていることが望ましい。【００１４】
このような本発明によれば、仕切は、タンク本体に固定されているため、気泡除去装置に仕切が固定されている場合に比べて、気泡除去装置をタンク本体に取り付ける際や、タンク本体から取り外す際に、気泡除去装置およびタンク本体間の干渉が少なくなる。このため、気泡除去装置の取り外しがスムーズにできるので、液体タンクの組み立て効率を向上させることができる。【００１５】
本発明の液体タンクにおいては、前記気泡除去装置を通されない前記液体を前記タンク本体内に戻すサブ戻り口を少なくとも一つ備え、前記サブ戻り口は、前記仕切に対して前記排出口側に設けられていることが望ましい。【００１６】
このような本発明によれば、気泡除去装置に通されない液体をタンク本体内に戻すサブ戻り口は、仕切に対して気泡除去装置の排出口側に設けられているため、サブ戻り口から戻されてきた気泡を含む液体が、送出口側に流入することが防がれる。このため、気泡を含んだ液体が、送出口から外部流路に送出されるのを防止でき、作動油内の気泡をより確実に除去することができる。【００１７】
本発明の液体タンクにおいて、前記仕切は、前記タンク本体内を上下に仕切っていることが望ましい。【００１８】
このような本発明によれば、仕切がタンク本体内を上下に仕切るため、気泡を含んだ液体が集まりやすい上方側と、気泡除去後の液体を多く含む下方側とを仕切ることができる。ここで、一般的に、気泡除去装置は、排出口が鉛直上方側に設けられ、かつ流出口が鉛直下方側に設けられた状態で、タンク本体内に配置されている。このため、このような気泡除去装置とともに用いられた場合には、簡単にタンク本体内を流出口側と排出口側とに仕切ることができる。このため、液体タンクの組み立て効率を一層向上させることができる。【００１９】
本発明の液体タンクにおいて、前記仕切は、前記タンク本体に取り付けたときに、上方に凸形状に形成されていることが望ましい。【００２０】
このような本発明によれば、仕切は、タンク本体に取り付けたときに、上方に凸形状に形成されているため、タンク本体内の液面が傾斜した場合に、液面の高さが、水平方向の両端側で仕切を下回ることが防止される。これにより、タンク本体内の液面が傾斜した場合でも、仕切の送出口側にエアが入り込むことを防止できるので、送出口側の作動油中にエアが混入することを防止できる。【００２１】
本発明の液体タンクにおいて、前記排出口は、前記タンク本体内で前記液体中に設けられていることが望ましい。【００２２】
このような本発明によれば、気泡除去装置の排出口は、タンク本体内で液体中に設けられているため、排出口からの気泡を含む液体が液面上に落ちることがない。このため、気泡を含む液体が液面上に落ちて気泡が液中に巻き込まれることを防止できるので、タンク本体内での新たな気泡の発生を防ぐことができる。【００２３】
本発明の液体タンクにおいて、前記仕切は、前記気泡除去装置が挿入される開口部を備え、前記開口部の内周とこれに挿入された前記気泡除去装置の外周との間には、周方向に沿って略均等幅の隙間が形成されていることが望ましい。【００２４】
このような本発明によれば、仕切の開口部の内周とこれに挿入された気泡除去装置の外周との間に略均等幅の隙間が形成されるため、この隙間を介して、外部流路からの液体の戻り量と送出口からの外部流路への送出量との差、つまり送出空間内の液体の過不足分が調整される。その際、仕切の開口部には気泡除去装置が挿入され、前記隙間は仕切の開口部の内周と気泡除去装置の外周との間に形成されているため、前記隙間は気泡除去装置の流出口に比べて送出口から離れた位置に配置されることになる。これにより、タンク内の気泡を含む液体が前記隙間から送出口に直接流れ込むのを防ぐことができる。
さらに、前記隙間があることにより、気泡除去装置の開口部への挿入時に、気泡除去装置がガイドと干渉しづらくなるため、液体タンクの製造時や整備時には、気泡除去装置を液体タンクに容易に取り付けることができる。【００２５】
本発明の液体タンクにおいて、前記仕切は、前記気泡除去装置の周囲と前記送出口とを覆い、かつ、前記気泡除去装置による気泡除去後の前記液体を前記送出口に案内するガイドであることが望ましい。【００２６】
このような本発明によれば、仕切は、気泡除去装置の周囲と外部流路への送出口とを覆い、かつ、気泡除去装置による気泡除去後の液体を送出口に案内するガイドであるため、気泡除去後の液体を確実に送出口に案内することができる。また、ガイド外の空間にある気泡を含んだ液体がガイド内に流入し難くなり、気泡を含んだ液体が送出口から外部流路に送出されるのを防止できる。【００２７】
本発明の液体タンクにおいては、前記液体を濾過するフィルタを備え、前記ガイドは円筒形であり、前記フィルタ、前記気泡除去装置、前記ガイド、および前記送出口が略直線上に配置されていることが望ましい。【００２８】
このような本発明によれば、タンク内の要素が略直線上に配置されるため、タンク本体がスリムになり、液体タンクの設置面積を減少させることができる。
また、液面低下時にエアを巻き込むおそれのある気泡除去装置等の要素が、液面低下の影響を受けづらいタンク中心寄りに配置されるため、エアの巻き込みを防止することができ、気泡をより確実に除去できる。【００２９】
本発明の液体タンクにおいて、前記ガイドは、傾斜した上面を備えた箱形であり、前記上面と連続した位置にある最上位部分には、エア抜き孔が設けられていることが望ましい。【００３０】
このような本発明によれば、ガイドの上面がタンク中心に向かうに従って上側に傾斜しているとともに、ガイドの最上位部分にエア抜き孔が設けられているため、気泡を含む液体がガイド内の送出空間内に入り込んでしまった場合であっても、気泡が上面の傾斜に沿ってエア抜き孔に案内され、エア抜き孔からガイド外に排出される。従って、気泡を含んだ液体が送出口から送出されるおそれが少なくなり、気泡をより確実に除去できる。【００３１】
本発明の液体タンクにおいて、前記ガイドの前記エア抜き孔は、前記タンク本体の水平方向の略中央に設けられていることが望ましい。【００３２】
このような本発明によれば、エア抜き孔がタンク本体の水平方向の中央寄りに設けられているため、液体タンクが搭載された機械の移動に伴う加減速や、当該機械が傾斜面に位置することで、タンク内の液面が大きく傾いた場合であっても、エア抜き孔が液面上に出ることがなく、ガイド内にエアが混入するのを防ぐことができる。【００３３】
本発明の液体タンクにおいては、内部の作動油を排出するためのドレンポートを備え、前記ドレンポートは、前記ガイドの内外にまたがって設けられていることが望ましい。【００３４】
このような本発明によれば、ドレンポートがガイドの内外にまたがって設けられるため、ガイド内の送出空間とガイド外の外部空間とがドレンポートを介して連通しており、この連通によっても、送出空間内の液体の過不足分が調整される。
【図面の簡単な説明】
【００３５】
【図１】本発明の第１実施形態に係る液体タンクを断面して示す正面図。
【図２】前記第１実施形態に係る液体タンクを図１のII−II線で断面して示す側面図。
【図３】前記第１実施形態に係る液体タンクを透視した斜視図。
【図４】前記第１実施形態に係る液体タンクを透視した別の斜視図。
【図５】前記第１実施形態に係る気泡除去装置を示す分解斜視図。
【図６】前記第１実施形態に係る気泡除去装置を示す斜視図。
【図７】前記第１実施形態に係る気泡除去装置を示す底面図。
【図８】前記第１実施形態に係る液体タンクの製造方法を示す図。
【図９】本発明の第２実施形態に係る液体タンクを断面して示す正面図。
【図１０】前記第２実施形態に係る液体タンクを図９のＸ−Ｘ線で断面して示す側面図。
【図１１】本発明の第３実施形態に係る液体タンクを断面して示す正面図。
【図１２】前記第３実施形態に係る液体タンクを透視した斜視図。
【図１３】本発明の第４実施形態に係る液体タンクを断面して示す側面図。
【図１４】本発明の第５実施形態に係る液体タンクを透視した斜視図。
【図１５】前記第５実施形態に係る液体タンクを断面して示す側面図。
【符号の説明】
【００３６】
１…作動油タンク（液体タンク）、１０…タンク本体、１６…ガイド（仕切）、１６Ａ…仕切部材（仕切）、１６Ａ１１…開口部、２０…フィルタ、４０…気泡除去装置、１１２…ドレンポート、１１３…送出口、１１９…サブ戻り口、１６１…開口部、１６３…上面、１６５…エア抜き孔、４２８…流出口、４４６…排出口、Ｇ…隙間。
【発明を実施するための最良の形態】
【００３７】
〔第１実施形態〕
以下、本発明の第１実施形態を、図１〜図８に基づいて説明する。
作動油タンク（液体タンク）１は、例えば建設機械に取り付けられ、作業機を作動させるための作動油（液体）を収容するために用いられる。従って、この作動油タンク１には、図示しないポンプの他、コントロールバルブ、作業機を構成するシリンダ、およびオイルクーラ等が作動油流路を介して連結されており、これらで油圧回路および油圧システムが構築されている。
このような作動油タンク１は、図１〜図４に示すように、タンク本体１０、フィルタ２０、接続部３０、および気泡除去装置４０を含んで構成され、フィルタ２０、接続部３０、および気泡除去装置４０が、いわゆる宙吊り状態でタンク本体１０内に収容されている。【００３８】
具体的にタンク本体１０は、箱状の本体１１を備えて構成され、本体１１の底板部１１１には、作動油タンク１内の作動油を排出するためのドレンポート１１２と、油圧回路等の外部流路への送出口１１３とが設けられている。
底板部１１１の下面には、ドレンポート１１２と連通するドレン管１２が設けられ、下部フランジ１３が送出口１１３を囲むようにして溶接等で固定されている。下部フランジ１３には、外部流路との接続を行うジョイント部材１４がシール材（不図示）を介してボルト止めされており、ジョイント部材１４と一体の鉛直なサクションストレーナ（以下、単にストレーナと称す）１５が、本体１１内に収容されている。【００３９】
また、底板部１１１の上面には、送出口１１３およびストレーナ１５を覆う円筒形状のガイド１６が設けられ、ガイド１６は上側に開口した開口部１６１を備えている。開口部１６１には、ストレーナ１５の真上に吊り下げられている気泡除去装置４０の下端部分、すなわち気泡除去後の作動油が流出する流出口４２８を含む部分が挿入されており、その際、開口部１６１の内周と気泡除去装置４０の外周との間には、周方向に沿って略均等幅の隙間Ｇが形成されている。つまり、ガイド１６は、作動油タンク１内において、開口部１６１と気泡除去装置４０との間に隙間Ｇを残した上で、送出口１１３、ストレーナ１５、および気泡除去装置４０の下端部分の周囲を覆っている。従って、ガイド１６内の送出空間Ｓ１内で気泡除去装置４０から流出した作動油は、ストレーナ１５に向けて案内されやすくなるとともに、ガイド１６の外側のガイド外空間Ｓ２内にある気泡を含む作動油が、送出空間Ｓ１内に入り込むのを防止できる。【００４０】
一方、本体１１の上板部１１４には、新たな作動油を給油するための給油口１７および上部フランジ１８が溶接等で固定され、上部フランジ１８には、蓋部材１９がボルトで着脱自在に固定されている。蓋部材１９には、作業機のシリンダ等から作動油が戻る戻り口１９１が設けられ、戻り口１９１はフィルタ２０の内部に連通する。【００４１】
フィルタ２０は、筒状のフィルタ本体２１を備え、フィルタ本体２１の上端側に設けられたフランジ２１１を介して、蓋部材１９とともに上部フランジ１８に着脱自在に固定されている。フィルタ本体２１の内部には、円筒形状のフィルタエレメント２２が収容されており、バネ２３によってフィルタ本体２１の底部２１２に付勢されている。底部２１２の略中央部分には孔２４が設けられ、孔２４を通りフィルタエレメント２２の中空部２２１に挿入された状態で、接続部３０の縦管３１が取り付けられている。【００４２】
接続部３０は、フィルタ２０と連通する前述の縦管３１および取付フランジ３２を備えて構成される。取付フランジ３２は、縦管３１の下端に溶接等で固定され、取付フランジ３２には、接続部３０と連通する気泡除去装置４０がボルト止めされている。【００４３】
このように、フィルタ２０、接続部３０、および気泡除去装置４０で構成される流路アッセンブリ５０では、各要素の内部が連通した状態で、各要素が上から順に略一直線上に配置されて蓋部材１９に接続されている。これによって、作業機のシリンダ等から戻ってきた作動油が蓋部材１９の戻り口１９１からフィルタ２０および接続部３０を通って気泡除去装置４０内に流れ込むようになっている。【００４４】
気泡除去装置４０は、作動油に旋回流（渦）を生じさせた際の遠心力によって比重の軽い気泡を中央側に寄せ、ここから専用の流路を通して気泡を分離するサイクロン型であり、図５〜図７にも示すように、取付フランジ３２の下面にボルト止めされる第１部材４１と、この第１部材４１の下部側にボルト止めされて上部が当該第１部材４１内に収容される第２部材４２とで構成されている。【００４５】
第１部材４１は有天円筒状とされ、上面部分には下方に窪んだ凹状の作動油入力ポート４１１が設けられている。この入力ポート４１１の内部上面には、径方向に沿って上方に膨出した一条の流れ方向変換部４１２が設けられている。流れ方向変換部４１２の表面はなめらかな曲面で形成されており、上方から入力ポート４１１に流れ落ちた作動油が流れ方向変換部４１２を境にして二方向に分流するようになっている。また、入力ポート４１１の内周面には、周方向に沿った長孔状の側部開口４１３が径方向に対向して一対設けられ、流れ方向変換部４１２で分流された作動油がこれらの側部開口４１３に導かれる。さらに、第１部材４１全体の中空部分において、その内周面には肉厚が薄くなるように窪んだ導入流路形成部４１４が、やはり径方向に対向して一対設けられ、これらの導入流路形成部４１４と前記側部開口４１３とが連通している。【００４６】
一方の第２部材４２は有底筒状とされ、その上部には上方に突出した導入流路形成壁４２１を備えている。この導入流路形成壁４２１の外周面には、外側に膨出した案内部４２２が径方向に対向して一対設けられており、導入流路形成壁４２１が第１部材４１の中空部分に挿入された際に、その案内部４２２が第１部材４１の導入流路形成部４１４内に嵌め込まれる。そして、導入流路形成部４１４、導入流路形成壁４２１、および案内部４２２で囲まれた空間により、作動油をサイクロン室４２３へ導くための導入流路４３が形成され、第１部材４１側の側部開口４１３を通して導入流路４３内に作動油が流れ込む。この際、案内部４２２の上面部分は、周方向の一端側から他端側にかけて下方に急傾斜した後、導入流路形成壁４２１に切欠状に設けられた流入口４２４に至るまで略一定の上下厚みで形成されている。従って、導入流路４３内に流れ込んだ作動油は、その傾斜部分で周方向に案内されて流入口４２４に導かれ、サイクロン室４２３に接線方向から流入する。【００４７】
ところで、第１部材４１の内側の天面部分には出口ポート４４１が設けられており、出口ポート４４１は、流れ方向変換部４１２を形成する膨出部分の内部に形成された横孔部４４２と連通している。また、第１部材４１の筒状部分の厚肉とされた部分には縦孔部４４３が形成され、横孔部４４２の一端側と連通している。横孔部４４２の他端側はプラグ等で封止されている。
これに対して、第２部材４２のサイクロン室４２３部分の外周面部４２３Ａに上下にわたって設けられた突出部４２５には、結合フランジ４２６から下方に向かう縦孔部４４４と、縦孔部４４４の下端に連通するように斜め上方から下方に向かう傾斜孔部４４５とが穿設されており、第１、第２部材４１，４２同士を結合させた際に、縦孔部４４４の上端が第１部材４１側の縦孔部４４３に連通する。また、傾斜孔部４４５の開口部分が気泡の排出口４４６になっている。
そして、出口ポート４４１および各孔部４４２〜４４５により、気泡の排出流路４４が形成されている。このような排出流路４４は、全体が気泡除去装置４０内に形成されており、チューブ等からなる外部流路は設けられていない。【００４８】
第２部材４２の下部側には、径方向の外側に突出した勢力低減部４２７が設けられている。この勢力低減部４２７は、作動油の流出口４２８を覆うように位置しており、第２部材４２の外周面部４２３Ａに沿って連続した鍔部４２７Ａと、鍔部４２７Ａの端縁から下方に垂下した下垂片部４２７Ｂとを備え、下垂片部４２７Ｂには等周間隔で複数の切欠開口４２７Ｃが設けられている。これらの切欠開口４２７Ｃは、流出口４２８からずれた位置に複数設けられており、流出口４２８から流出した作動油は、そのまま切欠開口４２７Ｃを通して拡がるのではなく、一旦下垂片部４２７Ｂに当たって勢いが低減し、この後に切欠開口４２７Ｃや下垂片部４２７Ｂの下方から作動油タンク１内に拡がる。この際、本実施形態では、流出口４２８がサイクロン室４２３内での旋回方向に沿った形状で、かつ外周面部４２３Ａと端面部４２３Ｂ（図７参照）とに跨って開口しており、作動油をサイクロン室４２３から流れを乱さずに流出させつつ、下垂片部４２７Ｂに確実に衝突させて流出直後の勢いを低減させている。なお、このような勢力低減部４２７は、気泡除去装置４０に一体に設けられる他、気泡除去装置４０と別体で設けられてガイド１６の内周面に取り付けられてもよい。【００４９】
このような気泡除去装置４０の作動油入力ポート４１１に流れ込んできた作動油は、流れ方向変換部４１２を境にして二方向に分流されて側部開口４１３から気泡除去装置４０内に流入した後、第１部材４１および第２部材４２間に設けられた導入流路４３を通って、第２部材４２の流入口４２４からサイクロン室４２３へ接線方向に流入する。【００５０】
旋回流が生じているサイクロン室４２３では、作動油に気泡が含まれている場合、作動油に比べて格段に比重の小さい気泡が中央の上部側に寄せ集まり、サイクロン室４２３内の内部圧力によって、第１部材４１の内側の天面に設けられた出口ポート４４１から、第１部材４１および第２部材４２にわたり連通して設けられた排出流路４４を通って、排出口４４６から排出される。
ここで、排出口４４６は、図１および図２に示すように、最低の液面レベルＬ１〜Ｌ５よりも下方に位置しており、常時作動油中に開口した状態を維持できるようになっている。従って、サイクロン室４２３内が負圧になった場合でも、作動油の液面よりも上部に存在する気体が排出口４４６から逆流することがない。なお、Ｌ１は作動油タンク１が水平位置での最低の液面レベルを表し、Ｌ２〜Ｌ５は作動油タンク１が傾いた場合の最低の液面レベルを表している。【００５１】
一方、サイクロン室４２３内で気泡が除去された作動油は、旋回流を生じながら下方に向かい、第２部材４２の下端部分に設けられた流出口４２８からタンク内の作動油中へ流出する。流出口４２８の周りには、流出直後の作動油の勢いを低減させる勢力低減部４２７が設けられているので、流出口４２８から流出した作動油の勢いで液面が大きく盛り上がったり、あるいは噴水状に噴き上がったりするのを防ぐことができる。従って、液面が波立って液面上の空気を新たに巻き込むおそれがなく、気泡を生じにくくでき、気泡除去をより確実に行える。
流出口４２８や勢力低減部４２７が設けられている気泡除去装置４０の下端部分はガイド１６の開口部１６１内に挿入されており、流出口４２８から流出した作動油は、ガイド１６によって送出空間Ｓ１内をストレーナ１５に向けて案内される。【００５２】
このような構成の気泡除去装置４０は、本実施形態において、ストレーナ１５に対して鉛直方向の中心軸が多少ずれてはいるが、互いの一部がオーバーラップした略直線上でストレーナ１５の上側に配置されている。このような配置とすることで、フィルタ２０、接続部３０、気泡除去装置４０、ストレーナ１５、および送出口１１３が略直線上に配置されるため、タンク本体１０をスリムにできて作動油タンク１の設置面積が減少するとともに、気泡除去装置４０やストレーナ１５等の、油面低下時にエアを巻き込むおそれのある要素をタンク中心寄りに配置でき、油面低下の影響を受けにくくできる。【００５３】
ここで、気泡除去装置４０の作動油入力ポート４１１を、例えば、サイクロン室４２３内の旋回流の旋回軸と垂直な方向に開口させて気泡除去装置４０の側部に設けた場合には、略垂直に曲げられた接続部３０が必要となるため、組み立て効率上好ましくないばかりでなく、タンク本体１０をスリムにし作動油タンク１の設置面積を減少させるという前述の利点を十分に活かすことができなくなるおそれがある。
従って、フィルタ２０、接続部３０、気泡除去装置４０、ストレーナ１５、および送出口１１３が略直線上に配置される場合には、気泡除去装置４０に設けられる作動油の流入用のポートは、本実施形態における作動油入力ポート４１１のように、サイクロン室４２３内の旋回流の旋回軸方向に開口して設けられることが望ましい。【００５４】
以上のような構成の作動油タンク１では、ガイド１６の開口部１６１と、開口部１６１に挿入された気泡除去装置４０との間に隙間Ｇが形成されているため、例えば、シリンダのピストンがヘッド側に移動して大量の作動油が必要となり、気泡除去装置４０から流出した作動油を再度送り込むだけでは足りない場合には、作動油タンク１内のガイド外空間Ｓ２に収容されている作動油がこの隙間Ｇを通って送出空間Ｓ１内に吸い込まれ、不足分が送出口１１３から油圧回路に送出される。また、これとは反対に、シリンダのピストンが基端側に移動して大量の作動油が戻り口１９１から作動油タンク１内に戻された場合には、送出空間Ｓ１から油圧回路に送出されるよりも多くの量の作動油が気泡除去装置４０を通って送出空間Ｓ１に送られるため、これによる送出空間Ｓ１の作動油の過剰分が、隙間Ｇを通ってガイド外空間Ｓ２に出される。このようにして、送出空間Ｓ１における、油圧回路からの作動油の戻り量と送出口１１３からの送出量との差、つまり送出空間Ｓ１内の作動油の過不足分が調整される。この際、隙間Ｇが大き過ぎると、排出口４４６から排出された気泡を含む作動油も送出空間Ｓ１内に吸い込まれてしまい、反対に隙間Ｇが小さ過ぎると、作動油の過不足分調整がスムーズに行われなくなるため、隙間Ｇの寸法は５ｍｍ程度が望ましい。【００５５】
次に、作動油タンク１の製造方法、その中でも特にガイド１６を含むタンク本体１０の製造方法と、タンク本体１０への流路アッセンブリ５０の取り付け方法について説明する。
図８に示すように、タンク本体１０の製造にあたっては、底板部１１１および上板部１１４を備えたコ字状の外板部材１１５と、外板部材１１５と組み合わせてタンク本体１０を構成する別のコ字状の外板部材１１６とを用意する。その際、外板部材１１５には、ドレンポート１１２、送出口１１３、ドレン管１２、上下部の各フランジ１３，１８、および給油口１７が設けられた状態にしておくのが望ましい。【００５６】
そして、底板部１１１に対してガイド１６を位置決めし、底板部１１１に溶接する。この後に、各外板部材１１５，１１６を組み合わせ、溶接によりお互いを固定する。
このように、外板部材１１５と別の外板部材１１６とを接合する前に、ガイド１６を外板部材１１５の底板部１１１に溶接するので、周囲と干渉することなく、ガイド１６の溶接を確実に行うことができる。【００５７】
このようにして製造されるタンク本体１０に流路アッセンブリ５０を取り付けるには、図３および図４に示すように、流路アッセンブリ５０を上部フランジ１８からタンク本体１０内に入れて、気泡除去装置４０の下端部分をガイド１６の開口部１６１に挿入した後、蓋部材１９とともに上部フランジ１８にボルト止めする。また、フィルタ２０の交換や気泡除去装置４０のメンテナンスに伴い、流路アッセンブリ５０をタンク本体１０から外す必要がある場合には、取り付け時とは逆の操作を行えばよい。【００５８】
この際、気泡除去装置４０の外周部分とガイド１６の開口部１６１との間には隙間Ｇが形成されているため、タンク本体１０への流路アッセンブリ５０取り付け時または取り外し時に、気泡除去装置４０が開口部１６１と干渉しづらく、流路アッセンブリ５０の取り付け時または取り外しが容易に行える。【００５９】
〔第２実施形態〕
以下、本発明の第２実施形態を図９および図１０に基づいて説明する。なお、第２実施形態を含めこれ以降の実施形態の説明では、既に説明した部分と同一の部分等については、同一符号を付してその説明を省略する。
前述した第１実施形態では、気泡除去装置４０、送出口１１３、およびストレーナ１５は、互いの中心軸が多少ずれた状態で、略直線上に配置されていた。
これに対し、本実施形態では、気泡除去装置４０、送出口１１３、およびストレーナ１５が、互いに同じ中心軸上で、一直線上に配置されている点が異なる。【００６０】
従って、第１実施形態に比べ、作動油タンク１を設置した状態でのタンク本体１０幅方向の寸法をさらに小さくでき、作動油タンク１の設置面積をより減少させることができる。また、油面低下時にエアを巻き込むおそれのある要素を、よりタンク中心側に配置でき、油面低下の影響をさらに受けにくくできる。【００６１】
〔第３実施形態〕
以下、本発明の第３実施形態を図１１および図１２に基づいて説明する。
前述した第１実施形態および第２実施形態では、気泡除去装置４０、送出口１１３、およびストレーナ１５は、略直線上かまたは一直線上に配置されるとともに、これらを覆うガイド１６が円筒形状に形成されていた。
これに対し、本実施形態では、気泡除去装置４０とストレーナ１５とが作動油タンク１の幅方向に並設されており、気泡除去装置４０、送出口１１３、およびストレーナ１５が、略直線上に配置されていない。また、これに伴ってガイド１６が異形状に形成されている。【００６２】
具体的に、図１１および図１２に示すように、気泡除去装置４０は、その下端がストレーナ１５の上端よりも下側に位置した状態で、ストレーナ１５と並設されている。
また、ガイド１６は、このように配置された気泡除去装置４０、ストレーナ１５、およびストレーナ１５が挿入される送出口１１３を覆うため、ストレーナ１５の収容部分で一段上がった突状部１６２を備えている。さらに、突状部１６２の上面１６３は、気泡除去装置４０側に向かうに従って上側に傾斜しており、上面１６３と突状部１６２の気泡除去装置４０側の側面１６４との間の縁部、すなわちガイド１６の上面１６３と連続した位置にある最上位部分には、エア抜き孔１６５が設けられている。【００６３】
このように、上面１６３が気泡除去装置４０側に向かうに従って、つまりタンク中心に向かうに従って上側に傾斜し、ガイド１６の最上位部分にエア抜き孔１６５が形成されることで、気泡を含む作動油が送出空間Ｓ１内に入り込んでしまった場合であっても、気泡が上面１６３の傾斜に沿ってエア抜き孔１６５に案内され、エア抜き孔１６５からガイド外空間Ｓ２側に排出される。また、作動油タンク１が搭載された建設機械の移動時の加減速や建設機械が傾斜面に位置することで、図１１に示すように、最低の液面レベルＬ１の状態において作動油タンク１内の作動油の液面がＬ２またはＬ３のように大きく傾いた場合であっても、エア抜き孔１６５が作動油タンク１の中央寄りに設けられているため、エア抜き孔１６５が液面上に出ることがなく、ガイド１６内にエアが混入するのを防ぐことができる。【００６４】
また、本実施形態では、ドレンポート１１２およびドレン管１２は、ドレンポート１１２とドレン管１２の作動油タンク１への取付側の開口部１２１とが、ガイド１６の内外にまたがって、つまり送出空間Ｓ１およびガイド外空間Ｓ２間にまたがってタンク本体１０の底板部１１１に設けられている。すなわち、ドレンポート１１２およびドレン管１２は、両空間Ｓ１，Ｓ２を連通している。
このような構成とすることで、作動油タンク１内の作動油を排出するいわゆるドレン時に、ガイド１６内の送出空間Ｓ１の作動油も、容易に外部へ抜くことができる。また、送出空間Ｓ１とガイド外空間Ｓ２とが連通しているため、ガイド１６の開口部１６１および気泡除去装置４０間の隙間Ｇを介して送出空間Ｓ１内の作動油の過不足分が調整されるのと同様に、ドレンポート１１２およびドレン管１２によっても、送出空間Ｓ１内の作動油の過不足分が調整される【００６５】
〔第４実施形態〕
以下、本発明の第４実施形態を図１３に基づいて説明する。
前述した第３実施形態では、送出口１１３および下部フランジ１３がタンク本体１０の底板部１１１に設けられ、ストレーナ１５を含むジョイント部材１４が、下部フランジ１３を介して底板部１１１に固定されていた。
これに対し、本実施形態では、送出口１１３および下部フランジ１３がタンク本体１０の側板部１１７に設けられ、ストレーナ１５を含むジョイント部材１４が、下部フランジ１３を介して側板部１１７に固定されている点が大きく異なる。【００６６】
このような構成であっても、前述の第３実施形態と同様の効果が得られるとともに、ジョイント部材１４が作動油タンク１下側に突出していないため、作動油タンク１の上下方向のスペースが少ない場合でも、作動油タンク１の搭載が可能であり、搭載設計の負荷を低減することができる。【００６７】
〔第５実施形態〕
次に、本発明の第５実施形態を図１４および図１５に基づいて説明する。
前述した第１実施形態から第４実施形態では、気泡除去後の液体を送出口１１３に案内するガイド１６が、気泡除去装置４０の下端部分、送出口１１３、およびストレーナ１５を覆って、作動油タンク１内部を流出口４２８側と排出口４４６側とに仕切っていた。
これに対し、本実施形態では、作動油タンク１内に仕切部材１６Ａが設けられ、この仕切部材１６Ａが、作動油タンク１の内部を上下に二分して、作動油タンク１内部を流出口４２８側と排出口４４６側とに仕切る点が大きく相違する。【００６８】
以下、本実施形態に係る作動油タンク１について、具体的に説明する。
作動油タンク１は、図１４および図１５に示すように、前述した第１実施形態から第４実施形態と同様に、タンク本体１０、フィルタ２０、接続部３０、および気泡除去装置４０を含んで構成され、フィルタ２０、接続部３０、および気泡除去装置４０が、タンク本体１０内に収容されている。【００６９】
このうちのタンク本体１０は、箱状の本体１１を備えて構成され、本体１１は、コ字状の外板部材１１５と、外板部材１１５と組み合わされる別のコ字状の外板部材１１６とを用いて構成される。ここで、前述した第１実施形態から第４実施形態とは異なり、外板部材１１６は、高さ方向および幅方向ともに、外板部材１１５に比べて若干大きな寸法を有して形成されている。このため、外板部材１１６は、内壁が外板部材１１５の端縁と当接して、外板部材１１５と組み合わされる。【００７０】
本体１１の上板部１１４には、上部フランジ１８を介して、蓋部材１９が着脱自在に固定され、本体１１の側板部１１７には、仕切部材１６Ａが、側板部１１７に対向する別のコ字状の外板部材１１６の側板部１１８に向けて取り付けられている。なお、この仕切部材１６Ａの詳細については、後で説明する。
本体１１の側板部１１８には、作業機のシリンダ等から作動油が戻る戻り口１９１とは別に、複数のサブ戻り口１１９が、仕切部材１６Ａに対して気泡除去装置４０の排出口４４６側に、つまり上板部１１４側に設けられている。このサブ戻り口１１９からは、例えば建設機械において、作業機の油圧シリンダをコントロールするためのパイロット回路の油が、気泡除去装置４０を通されずに作動油タンク１内に戻される。【００７１】
このようなタンク本体１０において、仕切部材１６Ａは、図１４および図１５に示すように、平面視略矩形状の一枚板を用いて、両端側が屈曲された形状に形成されている。具体的に、仕切部材１６Ａは、中央部１６Ａ１、第１屈曲部１６Ａ２、第２屈曲部１６Ａ３、および取付部１６Ａ４を備えている。
中央部１６Ａ１は、仕切部材１６Ａの中央寄りの部分であり、この中央部１６Ａ１に形成された開口部１６Ａ１１に、気泡除去装置４０の下端部分が挿入される。【００７２】
中央部１６Ａ１の一端側には、中央部１６Ａ１に対して屈曲された第１屈曲部１６Ａ２が設けられ、他端側には、中央部１６Ａ１に対して第１屈曲部１６Ａ２の屈曲方向と同じ方向に屈曲された第２屈曲部１６Ａ３が設けられている。これら第１屈曲部１６Ａ２および第２屈曲部１６Ａ３は、作動油タンク１内の液面の傾斜を考慮して形成されており、作動油タンク１内の液面が傾斜した場合に、液面の高さが仕切部材１６Ａを下回らないようになっている。
第２屈曲部１６Ａ３における中央部１６Ａ１の反対側には、第２屈曲部１６Ａ３の屈曲方向にさらに屈曲された取付部１６Ａ４が設けられている。この取付部１６Ａ４が側板部１１７に取り付けられて、仕切部材１６Ａが作動油タンク１に固定される。【００７３】
そして、仕切部材１６Ａは、各屈曲部１６Ａ２，１６Ａ３に対して中央部１６Ａ１が上板部１１４側になるように、すなわち、上方に向けて凸形状となるように、作動油タンク１に取り付けられている。ここで、仕切部材１６Ａは、平面視した場合に、第１屈曲部１６Ａ２側の先端から取付部１６Ａ４までの寸法が、作動油タンクの内法寸法に較べ小さくなるように形成されている。このため、仕切部材１６Ａは、第１屈曲部１６Ａ２の先端部と本体１１の壁面との間に若干の隙間Ｇ′を有した状態で、本体１１に取り付けられている。【００７４】
このようなタンク本体１０では、略一直線上に配置されたフィルタ２０、接続部３０、および気泡除去装置４０で構成される流路アッセンブリ５０が、蓋部材１９に接続されてタンク本体１０内に収容されている。そして、このうちの気泡除去装置４０の流出口４２８を含む下端部分が、仕切部材１６Ａの開口部１６Ａ１１に挿入されている。その際、開口部１６Ａ１１の内周と気泡除去装置４０との間には、周方向に沿って略均等幅の隙間Ｇが形成されている。
また、気泡除去装置４０の排出口４４６は、仕切部材１６Ａの上方に位置しているため、作動油タンク１の内部は、仕切部材１６Ａによって、流出口４２８側と排出口４４６側とに仕切られることになる。【００７５】
以上のような構成の作動油タンク１では、仕切部材１６Ａにおける第１屈曲部１６Ａ２の先端部と、本体１１の壁面との間に隙間Ｇ′が形成されている。このため、仕切部材１６Ａの開口部１６Ａ１１の内周と気泡除去装置４０との間の隙間Ｇに加えて、仕切部材１６Ａおよび本体１１の壁面間の隙間Ｇ′によっても、送出空間Ｓ１内の作動油の過不足分が調整されることになる。
また、仕切部材１６Ａは、一枚板を用いて両端側が屈曲された形状であり、かつ、取付部１６Ａ４で作動油タンク１内に片持ち支持されている。このため、仕切部材１６Ａは、成形が容易にできるとともに、簡単に作動油タンク１内に取り付けることができる。【００７６】
なお、本発明は、前記実施形態に限定されるものではなく、本発明の目的を達成できる他の構成等を含み、以下に示すような変形等も本発明に含まれる。
第１実施形態において、ガイド１６においては、円筒形状の側壁がそのまま開口部１６１を形成していたが、ガイド１６の側壁の端から気泡除去装置４０に向かうに従って傾斜した上面、いわゆるつばを設けて開口部１６１を形成してもよい。これにより、第３実施形態および第４実施形態の場合と同様に、気泡を含む作動油が送出空間Ｓ１内に入り込んでしまった場合であっても、気泡が上面の傾斜に沿って、気泡除去装置４０の外周部分とガイド１６の開口部１６１との間の隙間Ｇに案内され、隙間Ｇからガイド外空間Ｓ２側に排出される。【００７７】
また、第１実施形態および第２実施形態において、ドレンポート１１２およびドレン管１２は、ドレンポート１１２と作動油タンク１への取付側の開口部１２１とが、ガイド１６の内外にまたがるようには設けられていなかったが、第３実施形態および第４実施形態と同様に、ガイド１６の内外にまたがって設けられてもよい。
さらに、第３実施形態および第４実施形態において、ガイド１６は突状部１６２を備えていたが、送出口１１３と気泡除去装置４０の所定部分とを覆う形状であればよく、例えば単純な箱型形状であってもよい。【００７８】
第５実施形態において、仕切部材１６Ａは、第１屈曲部１６Ａ２および第２屈曲部１６Ａ３を備えていたが、これに限られない。要は、仕切部材１６Ａは、タンク本体１０に取り付けられた状態で、水平方向に対して傾斜した部分を有していればよく、例えば、中央部１６Ａ１が第２屈曲部１６Ａ３を形成してもよい。または、仕切部材１６Ａには、第１屈曲部１６Ａ２および第２屈曲部１６Ａ３のうちのいずれか一方のみが設けられていてもよい。【００７９】
第５実施形態において、仕切部材１６Ａは、作動油タンク１内を二分していたがこれに限られず、例えば、二分された作動油タンク１内をさらに仕切っていてもよい。
また、第５実施形態において、仕切部材１６Ａは、作動油タンク１内を上下に仕切っていたがこれに限られない。要は、仕切部材１６Ａは、作動油タンク１内を、送出口１１３および流出口４２８側と排出口４４６側とに仕切っていれば、本発明に該当する。【００８０】
第５実施形態において、隙間Ｇ′は、仕切部材１６Ａにおける第１屈曲部１６Ａ２の先端部と、本体１１の壁面との間に形成されていたがこれに限られず、例えば、第１屈曲部１６Ａ２から第２屈曲部１６Ａ３までの端縁部分と本体１１の壁面との間に形成されていてもよい。
また、第５実施形態において、仕切部材１６Ａは、側板部１１７に取り付けられて片持ち支持されていたがこれに限られず、その他容易に類推できるいかなる方法で取り付けられもよい。つまり、仕切部材１６Ａは、タンク本体１０内を、流出口４２８および送出口１１３が設けられた側と、排出口４４６側とに仕切っていればよく、例えば、仕切部材１６Ａの四隅を外板部材１１６に溶接して外板部材１１６に取り付けてもよい。この場合には、仕切部材１６Ａに取付部１６Ａ４を設ける必要はなく、仕切部材１６Ａをより簡略化した形状とすることができる。【００８１】
第５実施形態において、サブ戻り口１１９は複数設けられていたがこれに限られず、サブ戻り口１１９が一つのみ設けられていてもよい。
また、サブ戻り口１１９は側板部１１８に設けられていたがこれに限られず、例えば、上板部１１４に設けられてもよい。
さらに、サブ戻り口１１９は、作動油タンク１内で作動油中に位置するように設ける必要はなく、例えば、液面よりも上方側に設けられていてもよい。
すなわち、サブ戻り口１１９は、仕切部材１６Ａに対して排出口４４６側であれば、任意の箇所に設置することができる。【００８２】
なお、前記各実施形態では、作動油を収容する作動油タンク１について述べたが、これに限られるものではなく、例えば燃料タンクなど、液体の収容に用いられ、かつ液体中の気泡を除去する気泡除去装置が内部に設けられた液体タンクであればよい。【００８３】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、詳細な構成において、当業者が様々な変形を加えることができるものである。
【産業上の利用可能性】
【００８４】
本発明は、作動油タンクや燃料タンクを始め、液体中の気泡（空気）を除去する気泡除去装置を備えたあらゆる液体タンクに適用可能である。
【図１】
2007119328.tif 000003
【図２】
2007119328.tif 000004
【図３】
2007119328.tif 000005
【図４】
2007119328.tif 000006
【図５】
2007119328.tif 000007
【図６】
2007119328.tif 000008
【図７】
2007119328.tif 000009
【図８】
2007119328.tif 000010
【図９】
2007119328.tif 000011
【図１０】
2007119328.tif 000012
【図１１】
2007119328.tif 000013
【図１２】
2007119328.tif 000014
【図１３】
2007119328.tif 000015
【図１４】
2007119328.tif 000016
【図１５】
2007119328.tif 000017
【手続補正書】
【提出日】平成19年12月26日(2007.12.26)
【手続補正１】
【補正対象書類名】特許請求の範囲
【補正対象項目名】全文
【補正方法】変更
【補正の内容】
【特許請求の範囲】
【請求項１】
液体を収容する液体タンクであって、
前記液体を収容するタンク本体と、
前記タンク本体内に設けられて前記液体中に含まれる気泡を除去する気泡除去装置とを備え、
前記タンク本体は、
前記気泡除去装置を通されない前記液体を当該タンク本体内に戻す少なくとも一つのサブ戻り口と、
当該タンク本体内を少なくとも二分する仕切と、
前記液体を外部に送出するための送出口とを備え、
前記気泡除去装置は、前記タンク本体内に、
気泡除去後の前記液体が流出する流出口と、
除去した気泡を排出する排出口とを有し、
前記サブ戻り口は、前記仕切に対して前記排出口側に設けられ、
前記送出口は、前記仕切に対して前記流出口側に設けられ、
前記仕切は、前記タンク本体内を、前記流出口および前記送出口が設けられた側と、前記排出口側とに仕切っている
ことを特徴とする液体タンク。
【請求項２】
請求項１に記載の液体タンクにおいて、
前記仕切は、前記タンク本体に固定されている
ことを特徴とする液体タンク。
【請求項３】
（削除）
【請求項４】
請求項１に記載の液体タンクにおいて、
前記仕切は、前記タンク本体内を上下に仕切っている
ことを特徴とする液体タンク。
【請求項５】
請求項１に記載の液体タンクにおいて、
前記仕切は、前記タンク本体に取り付けたときに、上方に凸形状に形成されている
ことを特徴とする液体タンク。
【請求項６】
請求項１に記載の液体タンクにおいて、
前記排出口は、前記タンク本体内で前記液体中に設けられている
ことを特徴とする液体タンク。
【請求項７】
請求項１に記載の液体タンクにおいて、
前記仕切は、前記気泡除去装置が挿入される開口部を備え、
前記開口部の内周とこれに挿入された前記気泡除去装置の外周との間には、周方向に沿って略均等幅の隙間が形成されている
ことを特徴とする液体タンク。
【請求項８】
請求項７に記載の液体タンクにおいて、
前記仕切は、前記気泡除去装置の周囲と前記送出口とを覆い、かつ、前記気泡除去装置による気泡除去後の前記液体を前記送出口に案内するガイドである
ことを特徴とする液体タンク。
【請求項９】
請求項８に記載の液体タンクにおいて、
前記液体を濾過するフィルタを備え、
前記ガイドは円筒形であり、
前記フィルタ、前記気泡除去装置、前記ガイド、および前記送出口が略直線上に配置されている
ことを特徴とする液体タンク。
【請求項１０】
請求項８に記載の液体タンクにおいて、
前記ガイドは、傾斜した上面を備えた箱形であり、
前記上面と連続した位置にある最上位部分には、エア抜き孔が設けられている
ことを特徴とする液体タンク。
【請求項１１】
請求項１０に記載の液体タンクにおいて、
前記ガイドの前記エア抜き孔は、前記タンク本体の水平方向の略中央に設けられている
ことを特徴とする液体タンク。
【請求項１２】
請求項８ないし請求項１１のいずれかに記載の液体タンクにおいて、
内部の作動油を排出するためのドレンポートを備え、
前記ドレンポートは、前記ガイドの内外にまたがって設けられている
ことを特徴とする液体タンク。
【手続補正２】
【補正対象書類名】明細書
【補正対象項目名】０００３
【補正方法】変更
【補正の内容】
【０００３】
たは取り外し作業が必要となる。また、内部チャンバを形成する側壁の外面には、水平方向にのびる複数のバッフルが形成されているため、内部チャンバの取り付けまたは取り外し時には、このバッフルとタンクとが、互いに干渉してしまう。これらのことから、内部チャンバの取り付けまたは取り外し作業は非常に煩雑であり、タンクの組み立て効率が良くないという問題がある。
［００１０］
本発明の主な目的は、気泡を確実に除去できるとともに、組み立て効率に優れた液体タンクを提供することにある。
課題を解決するための手段
［００１１］
本発明の液体タンクは、液体を収容する液体タンクであって、前記液体を収容するタンク本体と、前記タンク本体内に設けられて前記液体中に含まれる気泡を除去する気泡除去装置とを備え、前記タンク本体は、前記気泡除去装置を通されない前記液体を当該タンク本体内に戻す少なくとも一つのサブ戻り口と、当該タンク本体内を少なくとも二分する仕切と、前記液体を外部に送出するための送出口とを備え、前記気泡除去装置は、前記タンク本体内に、気泡除去後の前記液体が流出する流出口と、除去した気泡を排出する排出口とを有し、前記サブ戻り口は、前記仕切に対して前記排出口側に設けられ、前記送出口は、前記仕切に対して前記流出口側に設けられ、前記仕切は、前記タンク本体内を、前記流出口および前記送出口が設けられた側と、前記排出口側とに仕切っていることを特徴とする。
ここで、送出口とは、外部への送出に際してタンク本体内の液体が取り込まれる部分をいい、タンク本体内の液体を吸い込んで外部に送出するような構成を含むものである。
［００１２］
このような本発明によれば、タンク本体内に設けられた仕切が、当該タンク本体内を少なくとも二分して、気泡除去後の液体が流出する流出口およびタンク外部に液体を送出するための送出口を含む側と、除去した気泡を排出する排出口を含む側とに仕切っている。これによれば、気泡を含んだ液体が送出口側に流れ込むのを防ぐことができるので、送出口には流出口からの気泡除去後の液体が流入することになる。このため、気泡を含んだ液体が、送出口から外部流路に送出されるのを防止できるので、作動油内の気泡を確実に除去することができる。
また、気泡除去装置に通されない液体をタンク本体内に戻すサブ戻り口は、仕切に対して気泡除去装置の排出口側に設けられているため、サブ戻り口から戻されてきた気泡を含む液体が、送出口側に流入することが防がれる。このため、気泡を含んだ液体が、送出口から外部流路に送出されるのを防止でき、作動油内の気泡をより確実に除去することができる。
［００１３］
本発明の液体タンクにおいて、前記仕切は、前記タンク本体に固定されていることが望ましい。
【手続補正３】
【補正対象書類名】明細書
【補正対象項目名】０００４
【補正方法】変更
【補正の内容】
【０００４】
［００１４］
このような本発明によれば、仕切は、タンク本体に固定されているため、気泡除去装置に仕切が固定されている場合に比べて、気泡除去装置をタンク本体に取り付ける際や、タンク本体から取り外す際に、気泡除去装置およびタンク本体間の干渉が少なくなる。このため、気泡除去装置の取り外しがスムーズにできるので、液体タンクの組み立て効率を向上させることができる。
［００１５］
［００１６］
［００１７］
本発明の液体タンクにおいて、前記仕切は、前記タンク本体内を上下に仕切っていることが望ましい。
［００１８］
このような本発明によれば、仕切がタンク本体内を上下に仕切るため、気泡を含んだ液体が集まりやすい上方側と、気泡除去後の液体を多く含む下方側とを仕切ることができる。ここで、一般的に、気泡除去装置は、排出口が鉛直上方側に設けられ、かつ流出口が鉛直下方側に設けられた状態で、タンク本体内に配置されている。このため、このような気泡除去装置とともに用いられた場合には、簡単にタンク本体内を流出口側と排出口側とに仕切ることができる。このため、液体タンクの組み立て効率を一層向上させることができる。
［００１９］
本発明の液体タンクにおいて、前記仕切は、前記タンク本体に取り付けたときに、上方に凸形状に形成されていることが望ましい。
［００２０］
このような本発明によれば、仕切は、タンク本体に取り付けたときに、上方に凸形状に形成されているため、タンク本体内の液面が傾斜した場合に、液面の高さが、水平方向の両端側で仕切を下回ることが防止される。これにより、タンク本体内の液面が傾斜した場合でも、仕切の送出口側にエアが入り込むことを防止できるので、送出口
【手続補正書】
【提出日】平成20年9月12日(2008.9.12)
【手続補正１】
【補正対象書類名】明細書
【補正対象項目名】全文
【補正方法】変更
【補正の内容】
【発明の詳細な説明】
【技術分野】
【０００１】
本発明は、液体タンクに係り、より具体的には、液体中の気泡（空気）を除去する気泡除去装置を備えた液体タンクに関する。
【背景技術】
【０００２】
従来より、建設機械においては、作業機の一部であるシリンダ等を作動油で駆動することが一般的である。従って、建設機械はシリンダ等を駆動する油圧回路を備えており、この油圧回路には作動油タンクや、作動油タンクから作動油を圧送するポンプ等の他、油圧回路内で発生してポンプを破損させるおそれのある作動油中の気泡を除去するために、気泡除去装置を設ける場合がある。そして近年では、建設機械の搭載部品に対して小型化が要請されていることから、作動油タンク内に気泡除去装置が設けられたものが多く存在する。
【０００３】
作動油タンク内の気泡除去装置により気泡が除去された作動油は、気泡除去装置の流出口からタンク内の作動油中に流出し、タンクの送出口から送出された後、ポンプによって再び油圧回路に圧送される。一方、気泡除去装置により除去された気泡も、気泡除去装置に設けられた流出口とは別の排出口から、タンク内の作動油中に排出される。従って、作動油タンクの小型化により、気泡除去装置の排出口と作動油タンクの送出口とが近くに配置されるようになると、排出口から排出された気泡を含む作動油も一緒に送出口から送出されてしまうおそれがある。
【０００４】
そこで、この問題を防止するために、気泡除去後の作動油の流出口およびタンクの送出口側と、気泡の排出口側とを仕切り、主に流出口からの作動油を送出口に導くためのガイド部を備えた作動油タンクが知られている（例えば、特許文献１）。
また、複数の気泡除去装置を並設しその全体を閉塞板で覆った複合形気泡除去装置を備え、複合形気泡除去装置とタンクの送出口とを戻り管で接続するタンクも知られている（例えば、特許文献２）。
【０００５】
さらには、タンク上部の作動油戻り口とタンク下部の送出口とを接続する内部チャンバを備え、この内部チャンバ内に螺旋状のバッフルを設けるとともに、周縁に通気孔が形成された中空軸をバッフルの中心軸部分に設けたタンクも知られている（例えば、特許文献３）。この特許文献３に記載のタンクでは、内部チャンバの螺旋状のバッフル上を作動油が流れることで旋回流が生じ、内部チャンバの中央に寄せられた気泡を含む作動油が、内部チャンバ中央の中空軸を通してタンク外部に排出される。
【０００６】
【特許文献１】特開２００４−８４９２３号公報
【特許文献２】特開平８−３１８１０３号公報（図９および図１０）
【特許文献３】米国特許第２，３１６，７２９号明細書
【発明の開示】
【発明が解決しようとする課題】
【０００７】
しかし、特許文献１に記載のタンクにおいては、ガイド部がタンクの送出口を完全に覆うようには設けられていないため、排出口から排出された気泡を一緒に吸い込んでしまうのを十分に防止することができないという問題がある。特に、タンクを小型化しようとした場合には、タンクの送出口と気泡の排出口との距離が近くなるため、このような問題が生じ易い。
【０００８】
一方、特許文献２に記載のタンクにおいては、ポンプ吸入管に途中分岐管が設けられており、ポンプでの液体の吸入量とタンクへの戻り量が等しくない場合には、その過不足分が調整されるようになっている。しかしながら、複合形気泡除去装置がタンク内で大きなスペースを占めるため、途中分岐管がタンクの側端部、つまり気泡除去装置の流出口よりも特にポンプに近い位置に設けられており、タンク内の気泡を含む液体がポンプに直接流れ込んで、ポンプが気泡を吸い込んでしまうおそれがある。また、複合形気泡除去装置が、タンク外部からの流入配管およびタンク外部へとのびる流出配管にタンク内で接続固定されているため、タンクの製造時や整備時に気泡除去装置と各配管とを組み立てるまたは外す作業を行わなければならず、組み立て効率が良くないという問題がある。
【０００９】
特許文献３に記載のタンクでは、作動油戻り口と、作動油から気泡を除去する機能を有した内部チャンバとが、タンク内で配管を用いて接続されているため、タンク内へ内部チャンバを取り付ける際や、タンク内から取り外す際に、この配管の組み立てまたは取り外し作業が必要となる。また、内部チャンバを形成する側壁の外面には、水平方向にのびる複数のバッフルが形成されているため、内部チャンバの取り付けまたは取り外し時には、このバッフルとタンクとが、互いに干渉してしまう。これらのことから、内部チャンバの取り付けまたは取り外し作業は非常に煩雑であり、タンクの組み立て効率が良くないという問題がある。
【００１０】
本発明の主な目的は、気泡を確実に除去できるとともに、組み立て効率に優れた液体タンクを提供することにある。
【課題を解決するための手段】
【００１１】
本発明の液体タンクは、液体を収容する液体タンクであって、前記液体を収容するタンク本体と、前記タンク本体内に設けられて前記液体中に含まれる気泡を除去する気泡除去装置とを備え、前記タンク本体は、前記気泡除去装置を通されない前記液体を当該タンク本体内に戻す少なくとも一つのサブ戻り口と、当該タンク本体内を少なくとも二分する仕切と、前記液体を外部に送出するための送出口とを備え、前記気泡除去装置は、前記タンク本体内に、気泡除去後の前記液体が流出する流出口と、除去した気泡を排出する排出口とを有し、前記サブ戻り口は、前記仕切に対して前記排出口側に設けられ、前記送出口は、前記仕切に対して前記流出口側に設けられ、前記仕切は、前記タンク本体内を、前記流出口および前記送出口が設けられた側と、前記排出口側とに仕切っていることを特徴とする。
ここで、送出口とは、外部への送出に際してタンク本体内の液体が取り込まれる部分をいい、タンク本体内の液体を吸い込んで外部に送出するような構成を含むものである。
【００１２】
このような本発明によれば、タンク本体内に設けられた仕切が、当該タンク本体内を少なくとも二分して、気泡除去後の液体が流出する流出口およびタンク外部に液体を送出するための送出口を含む側と、除去した気泡を排出する排出口を含む側とに仕切っている。これによれば、気泡を含んだ液体が送出口側に流れ込むのを防ぐことができるので、送出口には流出口からの気泡除去後の液体が流入することになる。このため、気泡を含んだ液体が、送出口から外部流路に送出されるのを防止できるので、作動油内の気泡を確実に除去することができる。
また、気泡除去装置に通されない液体をタンク本体内に戻すサブ戻り口は、仕切に対して気泡除去装置の排出口側に設けられているため、サブ戻り口から戻されてきた気泡を含む液体が、送出口側に流入することが防がれる。このため、気泡を含んだ液体が、送出口から外部流路に送出されるのを防止でき、作動油内の気泡をより確実に除去することができる。
【００１３】
本発明の液体タンクにおいて、前記仕切は、前記タンク本体に固定されていることが望ましい。
【００１４】
このような本発明によれば、仕切は、タンク本体に固定されているため、気泡除去装置に仕切が固定されている場合に比べて、気泡除去装置をタンク本体に取り付ける際や、タンク本体から取り外す際に、気泡除去装置およびタンク本体間の干渉が少なくなる。このため、気泡除去装置の取り外しがスムーズにできるので、液体タンクの組み立て効率を向上させることができる。
【００１５】
本発明の液体タンクにおいて、前記仕切は、前記タンク本体内を上下に仕切っていることが望ましい。
【００１６】
このような本発明によれば、仕切がタンク本体内を上下に仕切るため、気泡を含んだ液体が集まりやすい上方側と、気泡除去後の液体を多く含む下方側とを仕切ることができる。ここで、一般的に、気泡除去装置は、排出口が鉛直上方側に設けられ、かつ流出口が鉛直下方側に設けられた状態で、タンク本体内に配置されている。このため、このような気泡除去装置とともに用いられた場合には、簡単にタンク本体内を流出口側と排出口側とに仕切ることができる。このため、液体タンクの組み立て効率を一層向上させることができる。
【００１７】
本発明の液体タンクにおいて、前記仕切は、前記タンク本体に取り付けたときに、上方に凸形状に形成されていることが望ましい。
【００１８】
このような本発明によれば、仕切は、タンク本体に取り付けたときに、上方に凸形状に形成されているため、タンク本体内の液面が傾斜した場合に、液面の高さが、水平方向の両端側で仕切を下回ることが防止される。これにより、タンク本体内の液面が傾斜した場合でも、仕切の送出口側にエアが入り込むことを防止できるので、送出口側の作動油中にエアが混入することを防止できる。
【００１９】
本発明の液体タンクにおいて、前記排出口は、前記タンク本体内で前記液体中に設けられていることが望ましい。
【００２０】
このような本発明によれば、気泡除去装置の排出口は、タンク本体内で液体中に設けられているため、排出口からの気泡を含む液体が液面上に落ちることがない。このため、気泡を含む液体が液面上に落ちて気泡が液中に巻き込まれることを防止できるので、タンク本体内での新たな気泡の発生を防ぐことができる。
【００２１】
本発明の液体タンクにおいて、前記仕切は、前記気泡除去装置が挿入される開口部を備え、前記開口部の内周とこれに挿入された前記気泡除去装置の外周との間には、周方向に沿って略均等幅の隙間が形成されていることが望ましい。
【００２２】
このような本発明によれば、仕切の開口部の内周とこれに挿入された気泡除去装置の外周との間に略均等幅の隙間が形成されるため、この隙間を介して、外部流路からの液体の戻り量と送出口からの外部流路への送出量との差、つまり送出空間内の液体の過不足分が調整される。その際、仕切の開口部には気泡除去装置が挿入され、前記隙間は仕切の開口部の内周と気泡除去装置の外周との間に形成されているため、前記隙間は気泡除去装置の流出口に比べて送出口から離れた位置に配置されることになる。これにより、タンク内の気泡を含む液体が前記隙間から送出口に直接流れ込むのを防ぐことができる。
さらに、前記隙間があることにより、気泡除去装置の開口部への挿入時に、気泡除去装置がガイドと干渉しづらくなるため、液体タンクの製造時や整備時には、気泡除去装置を液体タンクに容易に取り付けることができる。
【００２３】
本発明の液体タンクにおいて、前記仕切は、前記気泡除去装置の周囲と前記送出口とを覆い、かつ、前記気泡除去装置による気泡除去後の前記液体を前記送出口に案内するガイドであることが望ましい。
【００２４】
このような本発明によれば、仕切は、気泡除去装置の周囲と外部流路への送出口とを覆い、かつ、気泡除去装置による気泡除去後の液体を送出口に案内するガイドであるため、気泡除去後の液体を確実に送出口に案内することができる。また、ガイド外の空間にある気泡を含んだ液体がガイド内に流入し難くなり、気泡を含んだ液体が送出口から外部流路に送出されるのを防止できる。
【００２５】
本発明の液体タンクにおいては、前記液体を濾過するフィルタを備え、前記ガイドは円筒形であり、前記フィルタ、前記気泡除去装置、前記ガイド、および前記送出口が略直線上に配置されていることが望ましい。
【００２６】
このような本発明によれば、タンク内の要素が略直線上に配置されるため、タンク本体がスリムになり、液体タンクの設置面積を減少させることができる。
また、液面低下時にエアを巻き込むおそれのある気泡除去装置等の要素が、液面低下の影響を受けづらいタンク中心寄りに配置されるため、エアの巻き込みを防止することができ、気泡をより確実に除去できる。
【００２７】
本発明の液体タンクにおいて、前記ガイドは、傾斜した上面を備えた箱形であり、前記上面と連続した位置にある最上位部分には、エア抜き孔が設けられていることが望ましい。
【００２８】
このような本発明によれば、ガイドの上面がタンク中心に向かうに従って上側に傾斜しているとともに、ガイドの最上位部分にエア抜き孔が設けられているため、気泡を含む液体がガイド内の送出空間内に入り込んでしまった場合であっても、気泡が上面の傾斜に沿ってエア抜き孔に案内され、エア抜き孔からガイド外に排出される。従って、気泡を含んだ液体が送出口から送出されるおそれが少なくなり、気泡をより確実に除去できる。
【００２９】
本発明の液体タンクにおいて、前記ガイドの前記エア抜き孔は、前記タンク本体の水平方向の略中央に設けられていることが望ましい。
【００３０】
このような本発明によれば、エア抜き孔がタンク本体の水平方向の中央寄りに設けられているため、液体タンクが搭載された機械の移動に伴う加減速や、当該機械が傾斜面に位置することで、タンク内の液面が大きく傾いた場合であっても、エア抜き孔が液面上に出ることがなく、ガイド内にエアが混入するのを防ぐことができる。
【００３１】
本発明の液体タンクにおいては、内部の作動油を排出するためのドレンポートを備え、前記ドレンポートは、前記ガイドの内外にまたがって設けられていることが望ましい。
【００３２】
このような本発明によれば、ドレンポートがガイドの内外にまたがって設けられるため、ガイド内の送出空間とガイド外の外部空間とがドレンポートを介して連通しており、この連通によっても、送出空間内の液体の過不足分が調整される。
【発明を実施するための最良の形態】
【００３３】
〔第１実施形態〕
以下、本発明の第１実施形態を、図１〜図８に基づいて説明する。
作動油タンク（液体タンク）１は、例えば建設機械に取り付けられ、作業機を作動させるための作動油（液体）を収容するために用いられる。従って、この作動油タンク１には、図示しないポンプの他、コントロールバルブ、作業機を構成するシリンダ、およびオイルクーラ等が作動油流路を介して連結されており、これらで油圧回路および油圧システムが構築されている。
このような作動油タンク１は、図１〜図４に示すように、タンク本体１０、フィルタ２０、接続部３０、および気泡除去装置４０を含んで構成され、フィルタ２０、接続部３０、および気泡除去装置４０が、いわゆる宙吊り状態でタンク本体１０内に収容されている。
【００３４】
具体的にタンク本体１０は、箱状の本体１１を備えて構成され、本体１１の底板部１１１には、作動油タンク１内の作動油を排出するためのドレンポート１１２と、油圧回路等の外部流路への送出口１１３とが設けられている。
底板部１１１の下面には、ドレンポート１１２と連通するドレン管１２が設けられ、下部フランジ１３が送出口１１３を囲むようにして溶接等で固定されている。下部フランジ１３には、外部流路との接続を行うジョイント部材１４がシール材（不図示）を介してボルト止めされており、ジョイント部材１４と一体の鉛直なサクションストレーナ（以下、単にストレーナと称す）１５が、本体１１内に収容されている。
【００３５】
また、底板部１１１の上面には、送出口１１３およびストレーナ１５を覆う円筒形状のガイド１６が設けられ、ガイド１６は上側に開口した開口部１６１を備えている。開口部１６１には、ストレーナ１５の真上に吊り下げられている気泡除去装置４０の下端部分、すなわち気泡除去後の作動油が流出する流出口４２８を含む部分が挿入されており、その際、開口部１６１の内周と気泡除去装置４０の外周との間には、周方向に沿って略均等幅の隙間Ｇが形成されている。つまり、ガイド１６は、作動油タンク１内において、開口部１６１と気泡除去装置４０との間に隙間Ｇを残した上で、送出口１１３、ストレーナ１５、および気泡除去装置４０の下端部分の周囲を覆っている。従って、ガイド１６内の送出空間Ｓ１内で気泡除去装置４０から流出した作動油は、ストレーナ１５に向けて案内されやすくなるとともに、ガイド１６の外側のガイド外空間Ｓ２内にある気泡を含む作動油が、送出空間Ｓ１内に入り込むのを防止できる。
【００３６】
一方、本体１１の上板部１１４には、新たな作動油を給油するための給油口１７および上部フランジ１８が溶接等で固定され、上部フランジ１８には、蓋部材１９がボルトで着脱自在に固定されている。蓋部材１９には、作業機のシリンダ等から作動油が戻る戻り口１９１が設けられ、戻り口１９１はフィルタ２０の内部に連通する。
【００３７】
フィルタ２０は、筒状のフィルタ本体２１を備え、フィルタ本体２１の上端側に設けられたフランジ２１１を介して、蓋部材１９とともに上部フランジ１８に着脱自在に固定されている。フィルタ本体２１の内部には、円筒形状のフィルタエレメント２２が収容されており、バネ２３によってフィルタ本体２１の底部２１２に付勢されている。底部２１２の略中央部分には孔２４が設けられ、孔２４を通りフィルタエレメント２２の中空部２２１に挿入された状態で、接続部３０の縦管３１が取り付けられている。
【００３８】
接続部３０は、フィルタ２０と連通する前述の縦管３１および取付フランジ３２を備えて構成される。取付フランジ３２は、縦管３１の下端に溶接等で固定され、取付フランジ３２には、接続部３０と連通する気泡除去装置４０がボルト止めされている。
【００３９】
このように、フィルタ２０、接続部３０、および気泡除去装置４０で構成される流路アッセンブリ５０では、各要素の内部が連通した状態で、各要素が上から順に略一直線上に配置されて蓋部材１９に接続されている。これによって、作業機のシリンダ等から戻ってきた作動油が蓋部材１９の戻り口１９１からフィルタ２０および接続部３０を通って気泡除去装置４０内に流れ込むようになっている。
【００４０】
気泡除去装置４０は、作動油に旋回流（渦）を生じさせた際の遠心力によって比重の軽い気泡を中央側に寄せ、ここから専用の流路を通して気泡を分離するサイクロン型であり、図５〜図７にも示すように、取付フランジ３２の下面にボルト止めされる第１部材４１と、この第１部材４１の下部側にボルト止めされて上部が当該第１部材４１内に収容される第２部材４２とで構成されている。
【００４１】
第１部材４１は有天円筒状とされ、上面部分には下方に窪んだ凹状の作動油入力ポート４１１が設けられている。この入力ポート４１１の内部上面には、径方向に沿って上方に膨出した一条の流れ方向変換部４１２が設けられている。流れ方向変換部４１２の表面はなめらかな曲面で形成されており、上方から入力ポート４１１に流れ落ちた作動油が流れ方向変換部４１２を境にして二方向に分流するようになっている。また、入力ポート４１１の内周面には、周方向に沿った長孔状の側部開口４１３が径方向に対向して一対設けられ、流れ方向変換部４１２で分流された作動油がこれらの側部開口４１３に導かれる。さらに、第１部材４１全体の中空部分において、その内周面には肉厚が薄くなるように窪んだ導入流路形成部４１４が、やはり径方向に対向して一対設けられ、これらの導入流路形成部４１４と前記側部開口４１３とが連通している。
【００４２】
一方の第２部材４２は有底筒状とされ、その上部には上方に突出した導入流路形成壁４２１を備えている。この導入流路形成壁４２１の外周面には、外側に膨出した案内部４２２が径方向に対向して一対設けられており、導入流路形成壁４２１が第１部材４１の中空部分に挿入された際に、その案内部４２２が第１部材４１の導入流路形成部４１４内に嵌め込まれる。そして、導入流路形成部４１４、導入流路形成壁４２１、および案内部４２２で囲まれた空間により、作動油をサイクロン室４２３へ導くための導入流路４３が形成され、第１部材４１側の側部開口４１３を通して導入流路４３内に作動油が流れ込む。この際、案内部４２２の上面部分は、周方向の一端側から他端側にかけて下方に急傾斜した後、導入流路形成壁４２１に切欠状に設けられた流入口４２４に至るまで略一定の上下厚みで形成されている。従って、導入流路４３内に流れ込んだ作動油は、その傾斜部分で周方向に案内されて流入口４２４に導かれ、サイクロン室４２３に接線方向から流入する。
【００４３】
ところで、第１部材４１の内側の天面部分には出口ポート４４１が設けられており、出口ポート４４１は、流れ方向変換部４１２を形成する膨出部分の内部に形成された横孔部４４２と連通している。また、第１部材４１の筒状部分の厚肉とされた部分には縦孔部４４３が形成され、横孔部４４２の一端側と連通している。横孔部４４２の他端側はプラグ等で封止されている。
これに対して、第２部材４２のサイクロン室４２３部分の外周面部４２３Ａに上下にわたって設けられた突出部４２５には、結合フランジ４２６から下方に向かう縦孔部４４４と、縦孔部４４４の下端に連通するように斜め上方から下方に向かう傾斜孔部４４５とが穿設されており、第１、第２部材４１，４２同士を結合させた際に、縦孔部４４４の上端が第１部材４１側の縦孔部４４３に連通する。また、傾斜孔部４４５の開口部分が気泡の排出口４４６になっている。
そして、出口ポート４４１および各孔部４４２〜４４５により、気泡の排出流路４４が形成されている。このような排出流路４４は、全体が気泡除去装置４０内に形成されており、チューブ等からなる外部流路は設けられていない。
【００４４】
第２部材４２の下部側には、径方向の外側に突出した勢力低減部４２７が設けられている。この勢力低減部４２７は、作動油の流出口４２８を覆うように位置しており、第２部材４２の外周面部４２３Ａに沿って連続した鍔部４２７Ａと、鍔部４２７Ａの端縁から下方に垂下した下垂片部４２７Ｂとを備え、下垂片部４２７Ｂには等周間隔で複数の切欠開口４２７Ｃが設けられている。これらの切欠開口４２７Ｃは、流出口４２８からずれた位置に複数設けられており、流出口４２８から流出した作動油は、そのまま切欠開口４２７Ｃを通して拡がるのではなく、一旦下垂片部４２７Ｂに当たって勢いが低減し、この後に切欠開口４２７Ｃや下垂片部４２７Ｂの下方から作動油タンク１内に拡がる。この際、本実施形態では、流出口４２８がサイクロン室４２３内での旋回方向に沿った形状で、かつ外周面部４２３Ａと端面部４２３Ｂ（図７参照）とに跨って開口しており、作動油をサイクロン室４２３から流れを乱さずに流出させつつ、下垂片部４２７Ｂに確実に衝突させて流出直後の勢いを低減させている。なお、このような勢力低減部４２７は、気泡除去装置４０に一体に設けられる他、気泡除去装置４０と別体で設けられてガイド１６の内周面に取り付けられてもよい。
【００４５】
このような気泡除去装置４０の作動油入力ポート４１１に流れ込んできた作動油は、流れ方向変換部４１２を境にして二方向に分流されて側部開口４１３から気泡除去装置４０内に流入した後、第１部材４１および第２部材４２間に設けられた導入流路４３を通って、第２部材４２の流入口４２４からサイクロン室４２３へ接線方向に流入する。
【００４６】
旋回流が生じているサイクロン室４２３では、作動油に気泡が含まれている場合、作動油に比べて格段に比重の小さい気泡が中央の上部側に寄せ集まり、サイクロン室４２３内の内部圧力によって、第１部材４１の内側の天面に設けられた出口ポート４４１から、第１部材４１および第２部材４２にわたり連通して設けられた排出流路４４を通って、排出口４４６から排出される。
ここで、排出口４４６は、図１および図２に示すように、最低の液面レベルＬ１〜Ｌ５よりも下方に位置しており、常時作動油中に開口した状態を維持できるようになっている。従って、サイクロン室４２３内が負圧になった場合でも、作動油の液面よりも上部に存在する気体が排出口４４６から逆流することがない。なお、Ｌ１は作動油タンク１が水平位置での最低の液面レベルを表し、Ｌ２〜Ｌ５は作動油タンク１が傾いた場合の最低の液面レベルを表している。
【００４７】
一方、サイクロン室４２３内で気泡が除去された作動油は、旋回流を生じながら下方に向かい、第２部材４２の下端部分に設けられた流出口４２８からタンク内の作動油中へ流出する。流出口４２８の周りには、流出直後の作動油の勢いを低減させる勢力低減部４２７が設けられているので、流出口４２８から流出した作動油の勢いで液面が大きく盛り上がったり、あるいは噴水状に噴き上がったりするのを防ぐことができる。従って、液面が波立って液面上の空気を新たに巻き込むおそれがなく、気泡を生じにくくでき、気泡除去をより確実に行える。
流出口４２８や勢力低減部４２７が設けられている気泡除去装置４０の下端部分はガイド１６の開口部１６１内に挿入されており、流出口４２８から流出した作動油は、ガイド１６によって送出空間Ｓ１内をストレーナ１５に向けて案内される。
【００４８】
このような構成の気泡除去装置４０は、本実施形態において、ストレーナ１５に対して鉛直方向の中心軸が多少ずれてはいるが、互いの一部がオーバーラップした略直線上でストレーナ１５の上側に配置されている。このような配置とすることで、フィルタ２０、接続部３０、気泡除去装置４０、ストレーナ１５、および送出口１１３が略直線上に配置されるため、タンク本体１０をスリムにできて作動油タンク１の設置面積が減少するとともに、気泡除去装置４０やストレーナ１５等の、油面低下時にエアを巻き込むおそれのある要素をタンク中心寄りに配置でき、油面低下の影響を受けにくくできる。
【００４９】
ここで、気泡除去装置４０の作動油入力ポート４１１を、例えば、サイクロン室４２３内の旋回流の旋回軸と垂直な方向に開口させて気泡除去装置４０の側部に設けた場合には、略垂直に曲げられた接続部３０が必要となるため、組み立て効率上好ましくないばかりでなく、タンク本体１０をスリムにし作動油タンク１の設置面積を減少させるという前述の利点を十分に活かすことができなくなるおそれがある。
従って、フィルタ２０、接続部３０、気泡除去装置４０、ストレーナ１５、および送出口１１３が略直線上に配置される場合には、気泡除去装置４０に設けられる作動油の流入用のポートは、本実施形態における作動油入力ポート４１１のように、サイクロン室４２３内の旋回流の旋回軸方向に開口して設けられることが望ましい。
【００５０】
以上のような構成の作動油タンク１では、ガイド１６の開口部１６１と、開口部１６１に挿入された気泡除去装置４０との間に隙間Ｇが形成されているため、例えば、シリンダのピストンがヘッド側に移動して大量の作動油が必要となり、気泡除去装置４０から流出した作動油を再度送り込むだけでは足りない場合には、作動油タンク１内のガイド外空間Ｓ２に収容されている作動油がこの隙間Ｇを通って送出空間Ｓ１内に吸い込まれ、不足分が送出口１１３から油圧回路に送出される。また、これとは反対に、シリンダのピストンが基端側に移動して大量の作動油が戻り口１９１から作動油タンク１内に戻された場合には、送出空間Ｓ１から油圧回路に送出されるよりも多くの量の作動油が気泡除去装置４０を通って送出空間Ｓ１に送られるため、これによる送出空間Ｓ１の作動油の過剰分が、隙間Ｇを通ってガイド外空間Ｓ２に出される。このようにして、送出空間Ｓ１における、油圧回路からの作動油の戻り量と送出口１１３からの送出量との差、つまり送出空間Ｓ１内の作動油の過不足分が調整される。この際、隙間Ｇが大き過ぎると、排出口４４６から排出された気泡を含む作動油も送出空間Ｓ１内に吸い込まれてしまい、反対に隙間Ｇが小さ過ぎると、作動油の過不足分調整がスムーズに行われなくなるため、隙間Ｇの寸法は５ｍｍ程度が望ましい。
【００５１】
次に、作動油タンク１の製造方法、その中でも特にガイド１６を含むタンク本体１０の製造方法と、タンク本体１０への流路アッセンブリ５０の取り付け方法について説明する。
図８に示すように、タンク本体１０の製造にあたっては、底板部１１１および上板部１１４を備えたコ字状の外板部材１１５と、外板部材１１５と組み合わせてタンク本体１０を構成する別のコ字状の外板部材１１６とを用意する。その際、外板部材１１５には、ドレンポート１１２、送出口１１３、ドレン管１２、上下部の各フランジ１３，１８、および給油口１７が設けられた状態にしておくのが望ましい。
【００５２】
そして、底板部１１１に対してガイド１６を位置決めし、底板部１１１に溶接する。この後に、各外板部材１１５，１１６を組み合わせ、溶接によりお互いを固定する。
このように、外板部材１１５と別の外板部材１１６とを接合する前に、ガイド１６を外板部材１１５の底板部１１１に溶接するので、周囲と干渉することなく、ガイド１６の溶接を確実に行うことができる。
【００５３】
このようにして製造されるタンク本体１０に流路アッセンブリ５０を取り付けるには、図３および図４に示すように、流路アッセンブリ５０を上部フランジ１８からタンク本体１０内に入れて、気泡除去装置４０の下端部分をガイド１６の開口部１６１に挿入した後、蓋部材１９とともに上部フランジ１８にボルト止めする。また、フィルタ２０の交換や気泡除去装置４０のメンテナンスに伴い、流路アッセンブリ５０をタンク本体１０から外す必要がある場合には、取り付け時とは逆の操作を行えばよい。
【００５４】
この際、気泡除去装置４０の外周部分とガイド１６の開口部１６１との間には隙間Ｇが形成されているため、タンク本体１０への流路アッセンブリ５０取り付け時または取り外し時に、気泡除去装置４０が開口部１６１と干渉しづらく、流路アッセンブリ５０の取り付け時または取り外しが容易に行える。
【００５５】
〔第２実施形態〕
以下、本発明の第２実施形態を図９および図１０に基づいて説明する。なお、第２実施形態を含めこれ以降の実施形態の説明では、既に説明した部分と同一の部分等については、同一符号を付してその説明を省略する。
前述した第１実施形態では、気泡除去装置４０、送出口１１３、およびストレーナ１５は、互いの中心軸が多少ずれた状態で、略直線上に配置されていた。
これに対し、本実施形態では、気泡除去装置４０、送出口１１３、およびストレーナ１５が、互いに同じ中心軸上で、一直線上に配置されている点が異なる。
【００５６】
従って、第１実施形態に比べ、作動油タンク１を設置した状態でのタンク本体１０幅方向の寸法をさらに小さくでき、作動油タンク１の設置面積をより減少させることができる。また、油面低下時にエアを巻き込むおそれのある要素を、よりタンク中心側に配置でき、油面低下の影響をさらに受けにくくできる。
【００５７】
〔第３実施形態〕
以下、本発明の第３実施形態を図１１および図１２に基づいて説明する。
前述した第１実施形態および第２実施形態では、気泡除去装置４０、送出口１１３、およびストレーナ１５は、略直線上かまたは一直線上に配置されるとともに、これらを覆うガイド１６が円筒形状に形成されていた。
これに対し、本実施形態では、気泡除去装置４０とストレーナ１５とが作動油タンク１の幅方向に並設されており、気泡除去装置４０、送出口１１３、およびストレーナ１５が、略直線上に配置されていない。また、これに伴ってガイド１６が異形状に形成されている。
【００５８】
具体的に、図１１および図１２に示すように、気泡除去装置４０は、その下端がストレーナ１５の上端よりも下側に位置した状態で、ストレーナ１５と並設されている。
また、ガイド１６は、このように配置された気泡除去装置４０、ストレーナ１５、およびストレーナ１５が挿入される送出口１１３を覆うため、ストレーナ１５の収容部分で一段上がった突状部１６２を備えている。さらに、突状部１６２の上面１６３は、気泡除去装置４０側に向かうに従って上側に傾斜しており、上面１６３と突状部１６２の気泡除去装置４０側の側面１６４との間の縁部、すなわちガイド１６の上面１６３と連続した位置にある最上位部分には、エア抜き孔１６５が設けられている。
【００５９】
このように、上面１６３が気泡除去装置４０側に向かうに従って、つまりタンク中心に向かうに従って上側に傾斜し、ガイド１６の最上位部分にエア抜き孔１６５が形成されることで、気泡を含む作動油が送出空間Ｓ１内に入り込んでしまった場合であっても、気泡が上面１６３の傾斜に沿ってエア抜き孔１６５に案内され、エア抜き孔１６５からガイド外空間Ｓ２側に排出される。また、作動油タンク１が搭載された建設機械の移動時の加減速や建設機械が傾斜面に位置することで、図１１に示すように、最低の液面レベルＬ１の状態において作動油タンク１内の作動油の液面がＬ２またはＬ３のように大きく傾いた場合であっても、エア抜き孔１６５が作動油タンク１の中央寄りに設けられているため、エア抜き孔１６５が液面上に出ることがなく、ガイド１６内にエアが混入するのを防ぐことができる。
【００６０】
また、本実施形態では、ドレンポート１１２およびドレン管１２は、ドレンポート１１２とドレン管１２の作動油タンク１への取付側の開口部１２１とが、ガイド１６の内外にまたがって、つまり送出空間Ｓ１およびガイド外空間Ｓ２間にまたがってタンク本体１０の底板部１１１に設けられている。すなわち、ドレンポート１１２およびドレン管１２は、両空間Ｓ１，Ｓ２を連通している。
このような構成とすることで、作動油タンク１内の作動油を排出するいわゆるドレン時に、ガイド１６内の送出空間Ｓ１の作動油も、容易に外部へ抜くことができる。また、送出空間Ｓ１とガイド外空間Ｓ２とが連通しているため、ガイド１６の開口部１６１および気泡除去装置４０間の隙間Ｇを介して送出空間Ｓ１内の作動油の過不足分が調整されるのと同様に、ドレンポート１１２およびドレン管１２によっても、送出空間Ｓ１内の作動油の過不足分が調整される
【００６１】
〔第４実施形態〕
以下、本発明の第４実施形態を図１３に基づいて説明する。
前述した第３実施形態では、送出口１１３および下部フランジ１３がタンク本体１０の底板部１１１に設けられ、ストレーナ１５を含むジョイント部材１４が、下部フランジ１３を介して底板部１１１に固定されていた。
これに対し、本実施形態では、送出口１１３および下部フランジ１３がタンク本体１０の側板部１１７に設けられ、ストレーナ１５を含むジョイント部材１４が、下部フランジ１３を介して側板部１１７に固定されている点が大きく異なる。
【００６２】
このような構成であっても、前述の第３実施形態と同様の効果が得られるとともに、ジョイント部材１４が作動油タンク１下側に突出していないため、作動油タンク１の上下方向のスペースが少ない場合でも、作動油タンク１の搭載が可能であり、搭載設計の負荷を低減することができる。
【００６３】
〔第５実施形態〕
次に、本発明の第５実施形態を図１４および図１５に基づいて説明する。
前述した第１実施形態から第４実施形態では、気泡除去後の液体を送出口１１３に案内するガイド１６が、気泡除去装置４０の下端部分、送出口１１３、およびストレーナ１５を覆って、作動油タンク１内部を流出口４２８側と排出口４４６側とに仕切っていた。
これに対し、本実施形態では、作動油タンク１内に仕切部材１６Ａが設けられ、この仕切部材１６Ａが、作動油タンク１の内部を上下に二分して、作動油タンク１内部を流出口４２８側と排出口４４６側とに仕切る点が大きく相違する。
【００６４】
以下、本実施形態に係る作動油タンク１について、具体的に説明する。
作動油タンク１は、図１４および図１５に示すように、前述した第１実施形態から第４実施形態と同様に、タンク本体１０、フィルタ２０、接続部３０、および気泡除去装置４０を含んで構成され、フィルタ２０、接続部３０、および気泡除去装置４０が、タンク本体１０内に収容されている。
【００６５】
このうちのタンク本体１０は、箱状の本体１１を備えて構成され、本体１１は、コ字状の外板部材１１５と、外板部材１１５と組み合わされる別のコ字状の外板部材１１６とを用いて構成される。ここで、前述した第１実施形態から第４実施形態とは異なり、外板部材１１６は、高さ方向および幅方向ともに、外板部材１１５に比べて若干大きな寸法を有して形成されている。このため、外板部材１１６は、内壁が外板部材１１５の端縁と当接して、外板部材１１５と組み合わされる。
【００６６】
本体１１の上板部１１４には、上部フランジ１８を介して、蓋部材１９が着脱自在に固定され、本体１１の側板部１１７には、仕切部材１６Ａが、側板部１１７に対向する別のコ字状の外板部材１１６の側板部１１８に向けて取り付けられている。なお、この仕切部材１６Ａの詳細については、後で説明する。
本体１１の側板部１１８には、作業機のシリンダ等から作動油が戻る戻り口１９１とは別に、複数のサブ戻り口１１９が、仕切部材１６Ａに対して気泡除去装置４０の排出口４４６側に、つまり上板部１１４側に設けられている。このサブ戻り口１１９からは、例えば建設機械において、作業機の油圧シリンダをコントロールするためのパイロット回路の油が、気泡除去装置４０を通されずに作動油タンク１内に戻される。
【００６７】
このようなタンク本体１０において、仕切部材１６Ａは、図１４および図１５に示すように、平面視略矩形状の一枚板を用いて、両端側が屈曲された形状に形成されている。具体的に、仕切部材１６Ａは、中央部１６Ａ１、第１屈曲部１６Ａ２、第２屈曲部１６Ａ３、および取付部１６Ａ４を備えている。
中央部１６Ａ１は、仕切部材１６Ａの中央寄りの部分であり、この中央部１６Ａ１に形成された開口部１６Ａ１１に、気泡除去装置４０の下端部分が挿入される。
【００６８】
中央部１６Ａ１の一端側には、中央部１６Ａ１に対して屈曲された第１屈曲部１６Ａ２が設けられ、他端側には、中央部１６Ａ１に対して第１屈曲部１６Ａ２の屈曲方向と同じ方向に屈曲された第２屈曲部１６Ａ３が設けられている。これら第１屈曲部１６Ａ２および第２屈曲部１６Ａ３は、作動油タンク１内の液面の傾斜を考慮して形成されており、作動油タンク１内の液面が傾斜した場合に、液面の高さが仕切部材１６Ａを下回らないようになっている。
第２屈曲部１６Ａ３における中央部１６Ａ１の反対側には、第２屈曲部１６Ａ３の屈曲方向にさらに屈曲された取付部１６Ａ４が設けられている。この取付部１６Ａ４が側板部１１７に取り付けられて、仕切部材１６Ａが作動油タンク１に固定される。
【００６９】
そして、仕切部材１６Ａは、各屈曲部１６Ａ２，１６Ａ３に対して中央部１６Ａ１が上板部１１４側になるように、すなわち、上方に向けて凸形状となるように、作動油タンク１に取り付けられている。ここで、仕切部材１６Ａは、平面視した場合に、第１屈曲部１６Ａ２側の先端から取付部１６Ａ４までの寸法が、作動油タンクの内法寸法に較べ小さくなるように形成されている。このため、仕切部材１６Ａは、第１屈曲部１６Ａ２の先端部と本体１１の壁面との間に若干の隙間Ｇ′を有した状態で、本体１１に取り付けられている。
【００７０】
このようなタンク本体１０では、略一直線上に配置されたフィルタ２０、接続部３０、および気泡除去装置４０で構成される流路アッセンブリ５０が、蓋部材１９に接続されてタンク本体１０内に収容されている。そして、このうちの気泡除去装置４０の流出口４２８を含む下端部分が、仕切部材１６Ａの開口部１６Ａ１１に挿入されている。その際、開口部１６Ａ１１の内周と気泡除去装置４０との間には、周方向に沿って略均等幅の隙間Ｇが形成されている。
また、気泡除去装置４０の排出口４４６は、仕切部材１６Ａの上方に位置しているため、作動油タンク１の内部は、仕切部材１６Ａによって、流出口４２８側と排出口４４６側とに仕切られることになる。
【００７１】
以上のような構成の作動油タンク１では、仕切部材１６Ａにおける第１屈曲部１６Ａ２の先端部と、本体１１の壁面との間に隙間Ｇ′が形成されている。このため、仕切部材１６Ａの開口部１６Ａ１１の内周と気泡除去装置４０との間の隙間Ｇに加えて、仕切部材１６Ａおよび本体１１の壁面間の隙間Ｇ′によっても、送出空間Ｓ１内の作動油の過不足分が調整されることになる。
また、仕切部材１６Ａは、一枚板を用いて両端側が屈曲された形状であり、かつ、取付部１６Ａ４で作動油タンク１内に片持ち支持されている。このため、仕切部材１６Ａは、成形が容易にできるとともに、簡単に作動油タンク１内に取り付けることができる。
【００７２】
なお、本発明は、前記実施形態に限定されるものではなく、本発明の目的を達成できる他の構成等を含み、以下に示すような変形等も本発明に含まれる。
第１実施形態において、ガイド１６においては、円筒形状の側壁がそのまま開口部１６１を形成していたが、ガイド１６の側壁の端から気泡除去装置４０に向かうに従って傾斜した上面、いわゆるつばを設けて開口部１６１を形成してもよい。これにより、第３実施形態および第４実施形態の場合と同様に、気泡を含む作動油が送出空間Ｓ１内に入り込んでしまった場合であっても、気泡が上面の傾斜に沿って、気泡除去装置４０の外周部分とガイド１６の開口部１６１との間の隙間Ｇに案内され、隙間Ｇからガイド外空間Ｓ２側に排出される。
【００７３】
また、第１実施形態および第２実施形態において、ドレンポート１１２およびドレン管１２は、ドレンポート１１２と作動油タンク１への取付側の開口部１２１とが、ガイド１６の内外にまたがるようには設けられていなかったが、第３実施形態および第４実施形態と同様に、ガイド１６の内外にまたがって設けられてもよい。
さらに、第３実施形態および第４実施形態において、ガイド１６は突状部１６２を備えていたが、送出口１１３と気泡除去装置４０の所定部分とを覆う形状であればよく、例えば単純な箱型形状であってもよい。
【００７４】
第５実施形態において、仕切部材１６Ａは、第１屈曲部１６Ａ２および第２屈曲部１６Ａ３を備えていたが、これに限られない。要は、仕切部材１６Ａは、タンク本体１０に取り付けられた状態で、水平方向に対して傾斜した部分を有していればよく、例えば、中央部１６Ａ１が第２屈曲部１６Ａ３を形成してもよい。または、仕切部材１６Ａには、第１屈曲部１６Ａ２および第２屈曲部１６Ａ３のうちのいずれか一方のみが設けられていてもよい。
【００７５】
第５実施形態において、仕切部材１６Ａは、作動油タンク１内を二分していたがこれに限られず、例えば、二分された作動油タンク１内をさらに仕切っていてもよい。
また、第５実施形態において、仕切部材１６Ａは、作動油タンク１内を上下に仕切っていたがこれに限られない。要は、仕切部材１６Ａは、作動油タンク１内を、送出口１１３および流出口４２８側と排出口４４６側とに仕切っていれば、本発明に該当する。
【００７６】
第５実施形態において、隙間Ｇ′は、仕切部材１６Ａにおける第１屈曲部１６Ａ２の先端部と、本体１１の壁面との間に形成されていたがこれに限られず、例えば、第１屈曲部１６Ａ２から第２屈曲部１６Ａ３までの端縁部分と本体１１の壁面との間に形成されていてもよい。
また、第５実施形態において、仕切部材１６Ａは、側板部１１７に取り付けられて片持ち支持されていたがこれに限られず、その他容易に類推できるいかなる方法で取り付けられもよい。つまり、仕切部材１６Ａは、タンク本体１０内を、流出口４２８および送出口１１３が設けられた側と、排出口４４６側とに仕切っていればよく、例えば、仕切部材１６Ａの四隅を外板部材１１６に溶接して外板部材１１６に取り付けてもよい。この場合には、仕切部材１６Ａに取付部１６Ａ４を設ける必要はなく、仕切部材１６Ａをより簡略化した形状とすることができる。
【００７７】
第５実施形態において、サブ戻り口１１９は複数設けられていたがこれに限られず、サブ戻り口１１９が一つのみ設けられていてもよい。
また、サブ戻り口１１９は側板部１１８に設けられていたがこれに限られず、例えば、上板部１１４に設けられてもよい。
さらに、サブ戻り口１１９は、作動油タンク１内で作動油中に位置するように設ける必要はなく、例えば、液面よりも上方側に設けられていてもよい。
すなわち、サブ戻り口１１９は、仕切部材１６Ａに対して排出口４４６側であれば、任意の箇所に設置することができる。
【００７８】
なお、前記各実施形態では、作動油を収容する作動油タンク１について述べたが、これに限られるものではなく、例えば燃料タンクなど、液体の収容に用いられ、かつ液体中の気泡を除去する気泡除去装置が内部に設けられた液体タンクであればよい。
【００７９】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、詳細な構成において、当業者が様々な変形を加えることができるものである。
【産業上の利用可能性】
【００８０】
本発明は、作動油タンクや燃料タンクを始め、液体中の気泡（空気）を除去する気泡除去装置を備えたあらゆる液体タンクに適用可能である。
【図面の簡単な説明】
【００８１】
【図１】本発明の第１実施形態に係る液体タンクを断面して示す正面図。
【図２】前記第１実施形態に係る液体タンクを図１のII−II線で断面して示す側面図。
【図３】前記第１実施形態に係る液体タンクを透視した斜視図。
【図４】前記第１実施形態に係る液体タンクを透視した別の斜視図。
【図５】前記第１実施形態に係る気泡除去装置を示す分解斜視図。
【図６】前記第１実施形態に係る気泡除去装置を示す斜視図。
【図７】前記第１実施形態に係る気泡除去装置を示す底面図。
【図８】前記第１実施形態に係る液体タンクの製造方法を示す図。
【図９】本発明の第２実施形態に係る液体タンクを断面して示す正面図。
【図１０】前記第２実施形態に係る液体タンクを図９のＸ−Ｘ線で断面して示す側面図。
【図１１】本発明の第３実施形態に係る液体タンクを断面して示す正面図。
【図１２】前記第３実施形態に係る液体タンクを透視した斜視図。
【図１３】本発明の第４実施形態に係る液体タンクを断面して示す側面図。
【図１４】本発明の第５実施形態に係る液体タンクを透視した斜視図。
【図１５】前記第５実施形態に係る液体タンクを断面して示す側面図。
【符号の説明】
【００８２】
１…作動油タンク（液体タンク）、１０…タンク本体、１６…ガイド（仕切）、１６Ａ…仕切部材（仕切）、１６Ａ１１…開口部、２０…フィルタ、４０…気泡除去装置、１１２…ドレンポート、１１３…送出口、１１９…サブ戻り口、１６１…開口部、１６３…上面、１６５…エア抜き孔、４２８…流出口、４４６…排出口、Ｇ…隙間。
【手続補正２】
【補正対象書類名】要約書
【補正対象項目名】全文
【補正方法】変更
【補正の内容】
【要約】
液体タンク１は、液体を収容するタンク本体１０と、タンク本体１０内に設けられて液体中に含まれる気泡を除去する気泡除去装置４０とを備え、タンク本体１０は、タンク本体１０内を少なくとも二分する仕切１６Ａと、液体を外部に送出するための送出口１１３とを備え、気泡除去装置４０は、タンク本体１０内に、気泡除去後の液体が流出する流出口４２８と、除去した気泡を排出する排出口４４６とを有し、送出口１１３は、仕切１６Ａに対して流出口４２８側に設けられ、仕切１６Ａは、タンク本体１０内を、流出口４２８および送出口１１３が設けられた側と、排出口４４６側とに仕切っている。
【手続補正書】
【提出日】平成20年12月19日(2008.12.19)
【手続補正１】
【補正対象書類名】手続補正書
【補正対象項目名】手続補正２
【補正方法】削除
【補正の内容】
【国際調査報告】
2007119328.tif 000018
2007119328.tif 000019
2007119328.tif 000020
2007119328.tif 000021